(57)【要約】      （修正有）【課題】ファスナの一部分に成形密封シュラウドを付着させるよう構成された嵌合キャップを作製し使用するためのシステム及び方法を提供する。【解決手段】ファスナの一部分と寸法が同一であり、かつ支持プレートから延在しているファスナテンプレートと、支持プレートを貫通しており、かつファスナテンプレートの周りに配置されている第１の複数の貫通開口とを、備える。システムは、ファスナテンプレートの形状寸法を補完する先行キャップと、第１ポリマーシートを加熱するための第１手段と、先行キャップの上に第１ポリマーシートを真空形成するために、第１の複数の貫通開口を通じて第１ポリマーシートに吸引を行うための、第２手段も、備える。先行キャップの上に第１ポリマーシートを真空形成した後に、第１ポリマーシートの少なくとも一部分が嵌合キャップを形成する。嵌合キャップは、ファスナの部分に成形密封シュラウドを付着させるよう構成される。【選択図】なし【特許請求の範囲】
【請求項１】
ファスナ（１００）の一部分（１０６）に成形密封シュラウド（５９０）を付着させるよう構成された嵌合キャップ（３００）を作製するためのシステム（２００）であって、
支持プレート（２１０）であって、
第１の側（２１６）、
前記第１の側（２１６）の反対側の第２の側（２１８）、及び、
前記第１の側（２１６）から前記第２の側（２１８）まで前記支持プレート（２１０）を貫通している、第１の複数の貫通開口（２１２）、を備える、支持プレート（２１０）と、
前記ファスナ（１００）の前記部分（１０６）と寸法が同一のファスナテンプレート（２０２）であって、前記第１の複数の貫通開口（２１２）が前記ファスナテンプレート（２０２）の周りに配置されるように、前記支持プレート（２１０）の前記第１の側（２１６）から延在している、ファスナテンプレート（２０２）と、
前記ファスナテンプレート（２０２）の形状寸法を補完する第１表面（３２２）と、前記第１表面（３２２）の反対側の、前記第１表面（３２２）に平行な第２表面３２４とを備える、先行キャップ（３２０）と、
第１ポリマーシート（２７０）を特定の温度まで加熱するための第１手段（２１７）と、
前記支持プレート（２１０）の前記第１の側（２１６）から所定の距離（２０５）のところに位置付けられ、かつ前記第１手段（２１７）によって前記特定の温度まで加熱された前記第１ポリマーシート（２７０）を、前記先行キャップ（３２０）の上に真空形成するために、前記支持プレート（２１０）の前記第２の側（２１８）から前記第１の複数の貫通開口（２１２）を通じて前記第１ポリマーシート（２７０）に吸引を行うための、第２手段（２１９）と、を備え、前記第２手段（２１９）が、
前記先行キャップ（３２０）の上に前記第１ポリマーシート（２７０）を真空形成した後に、前記第１ポリマーシート（２７０）の少なくとも一部分が前記嵌合キャップ（３００）を形成するように、かつ、
前記嵌合キャップ（３００）の第１内表面（３４２）が前記先行キャップ（３２０）の前記第２表面（３２４）の形状寸法を補完するように、吸引を行うよう構成されている、システム（２００）。
【請求項２】
前記ファスナテンプレート（２０２）が、
中心軸（２０４）と、
前記中心軸（２０４）の周りで回転対称なファスナテンプレート外表面（２０３）とを備える、請求項１に記載のシステム（２００）。
【請求項３】
インサート（２５０）を更に備え、前記インサート（２５０）の少なくとも一部分は、前記ファスナテンプレート（２０２）と前記先行キャップ（３２０）との間に位置付けられ、かつ前記支持プレート（２１０）の前記第１の側（２１６）から遠ざかるように延在し、前記先行キャップ（３２０）が、
前記第１表面（３２２）と連続しており、かつ前記インサート（２５０）の形状寸法を補完する、第３表面（３２３）、及び、
前記第２表面（３２４）と連続しており、前記第３表面（３２３）の反対側にあり、かつ前記第３表面（３２３）に平行な、第４表面（３２５）を更に備え、
前記第２手段（２１９）は、前記嵌合キャップ（３００）の第２内表面（３４３）が前記先行キャップ（３２０）の前記第４表面（３２５）の形状寸法を補完するように、吸引を行うよう更に構成され、前記嵌合キャップ（３００）の前記第２内表面（３４３）は、前記嵌合キャップ（３００）の前記第１内表面（３４２）と連続している、請求項２に記載のシステム（２００）。
【請求項４】
前記インサート（２５０）の前記少なくとも一部分は、テーパ部（２５２）であって、テーパの方向が前記ファスナテンプレート（２０２）の前記中心軸（２０４）に平行に配向されているテーパ部（２５２）を備える、請求項３に記載のシステム（２００）。
【請求項５】
前記インサート（２５０）は、前記先行キャップ（３２０）を前記第３表面（３２３）から前記第４表面（３２５）まで貫通する、穿孔部材（２５４）を備え、
前記穿孔部材（２５４）は、前記ファスナテンプレート（２０２）の前記中心軸（２０４）に平行に配向されている、請求項３に記載のシステム（２００）。
【請求項６】
インサート（２５０）であって、前記先行キャップ（３２０）が前記ファスナテンプレート（２０２）と前記インサート（２５０）との間に来るように位置付けられるインサート（２５０）を更に備え、
前記インサート（２５０）が、前記支持プレート（２１０）の前記第１の側（２１６）から遠ざかるように延在し、かつインサート外表面（２５３）を備え、
前記嵌合キャップ（３００）が、前記嵌合キャップ（３００）の前記第１内表面（３４２）と連続している第２内表面（３４３）を更に備え、
前記第２手段（２１９）は、前記嵌合キャップ（３００）の前記第２内表面（３４３）が前記インサート外表面（２５３）の形状寸法を補完するように、吸引を行うよう更に構成されている、請求項２に記載のシステム（２００）。
【請求項７】
前記インサート（２５０）がテーパ部（２５２）を更に備え、前記テーパ部（２５２）は、前記先行キャップ（３２０）が前記ファスナテンプレート（２０２）と前記テーパ部（２５２）との間に来るように位置付けられ、
前記テーパ部（２５２）のテーパの方向が、前記ファスナテンプレート（２０２）の前記中心軸（２０４）に平行である、請求項６に記載のシステム（２００）。
【請求項８】
前記インサート（２５０）が穿孔部材（２５４）を更に備え、前記穿孔部材（２５４）は、前記先行キャップ（３２０）から遠ざかるように延在するように、前記ファスナテンプレート（２０２）の前記中心軸（２０４）に平行に配向されている、請求項６に記載のシステム（２００）。
【請求項９】
フレーム（２４０）を更に備え、前記フレーム（２４０）は、前記フレーム（２４０）を操作することによって前記支持プレート（２１０）の前記第１の側（２１６）に対して前記第１ポリマーシート（２７０）が位置付け可能になるように、前記第１ポリマーシート（２７０）に連結可能である、請求項１から８のいずれか一項に記載のシステム（２００）。
【請求項１０】
前記フレーム（２４０）が、
前記フレーム（２４０）を通って延在している開口部（２４９）と、
前記開口部（２４９）を取り囲み、かつ、前記第１ポリマーシート（２７０）が前記開口部（２４９）の端から端まで延在するように前記第１ポリマーシート（２７０）を固定するよう成形された、周縁部（２４８）とを備える、請求項９に記載のシステム（２００）。
【請求項１１】
ファスナ（１００）の一部分（１０６）に成形密封シュラウド（５９０）を付着させるよう構成された嵌合キャップ（３００）を作製する方法（１９００）であって、
先行キャップ（３２０）でファスナテンプレート（２０２）を覆うステップであって、
前記ファスナテンプレート（２０２）が、支持プレート（２１０）の第１の側（２１６）から延在しており、
前記支持プレート（２１０）が、前記第１の側（２１６）の反対側の第２の側（２１８）と、前記第１の側（２１６）から前記第２の側（２１８）まで前記支持プレート（２１０）を貫通しており、かつ前記ファスナテンプレート（２０２）の周りに配置されている、第１の複数の貫通開口（２１２）とを備え、
前記先行キャップ（３２０）が、前記ファスナテンプレート（２０２）の形状寸法を補完する第１表面（３２２）と、前記第１表面（３２２）の反対側の、前記第１表面（３２２）に平行な第２表面（３２４）とを備え、
前記ファスナテンプレート（２０２）は、前記ファスナ（１００）の前記部分（１０６）と寸法が同一である、ファスナテンプレート（２０２）を覆うステップと、
第１ポリマーシート（２７０）を特定の温度まで加熱するステップと、
前記支持プレート（２１０）の前記第１の側（２１６）から所定の距離（２０５）のところに位置付けられ、かつ前記特定の温度まで加熱された前記第１ポリマーシート（２７０）を、前記先行キャップ（３２０）の上に真空形成するために、前記支持プレート（２１０）の前記第２の側（２１８）から前記第１の複数の貫通開口（２１２）を通じて前記第１ポリマーシート（２７０）に吸引を行うステップであって、
前記先行キャップ（３２０）の上に前記第１ポリマーシート（２７０）を真空形成した後に、前記第１ポリマーシート（２７０）の少なくとも一部分が前記嵌合キャップ（３００）を形成し、
前記嵌合キャップ（３００）の第１内表面（３４２）が前記先行キャップ（３２０）の前記第２表面（３２４）の形状寸法を補完する、吸引を行うステップとを含む、方法（１９００）。
【請求項１２】
前記先行キャップ（３２０）と前記第１ポリマーシート（２７０）の少なくとも一方に剥離剤（３８２）を塗布するステップを更に含み、前記剥離剤（３８２）は、前記先行キャップ（３２０）の上に前記第１ポリマーシート（２７０）を真空形成するために前記第１ポリマーシート（２７０）に吸引を行う前記ステップの後の、前記嵌合キャップ（３００）の前記先行キャップ（３２０）からの分離を容易にするよう、構成されている、請求項１１に記載の方法（１９００）。
【請求項１３】
前記先行キャップ（３２０）で前記ファスナテンプレート（２０２）を覆う前に、前記先行キャップ（３２０）を形成するステップを更に含む、請求項１１又は１２に記載の方法（１９００）。
【請求項１４】
前記先行キャップ（３２０）を形成する前記ステップが、
第２ポリマーシート（２２０）を第２の特定の温度まで加熱するステップと、
前記支持プレート（２１０）の前記第１の側（２１６）から第２の所定の距離（２０７）のところに位置付けられ、かつ前記第２の特定の温度まで加熱された前記第２ポリマーシート（２２０）を、前記ファスナテンプレート（２０２）の上に真空形成するために、前記支持プレート（２１０）の前記第２の側（２１８）から前記第１の複数の貫通開口（２１２）を通じて前記第２ポリマーシート（２２０）に吸引を行うステップとを含み、
前記ファスナテンプレート（２０２）の上に前記第２ポリマーシート（２２０）を真空形成した後に、前記第２ポリマーシート（２２０）の少なくとも一部分が前記先行キャップ（３２０）を形成する、請求項１３に記載の方法（１９００）。
【請求項１５】
前記ファスナテンプレート（２０２）の上に前記第２ポリマーシート（２２０）を真空形成するために吸引を行う前記ステップが、前記第２ポリマーシート（２２０）の第２シート厚（２２６）と等しい先行キャップ厚（３２６）を有する前記先行キャップ（３２０）を形成するステップを更に含む、請求項１４に記載の方法（１９００）。
【発明の詳細な説明】
【技術分野】
【０００１】
［００１］本開示は、ファスナの一部分に成形密封シュラウド（ｓｈａｐｅｄ  ｓｅａｌａｎｔ  ｓｈｒｏｕｄ）を付着させるよう構成された嵌合キャップ（ｆｉｔｔｅｄ  ｃａｐ）を作製し、使用するための、システム及び方法に関する。
【背景技術】
【０００２】
［００２］航空機やその構成要素といった構造物の組み立て中には、構造物の様々な接合部を固定しているファスナの露出部分の上に、密封剤のコーティングを付着させることがしばしば必要になる。ファスナのこのような露出部分は不規則な外表面を有することが多く、密封剤は、適切な被覆を確保するために、典型的には、熟練作業員によりブラシを用いて手作業で塗布される。しかし、ファスナを手作業でブラシ封止することには、人手も時間もかかる。更に、手作業でのブラシ封止の品質は制御が困難であり、費用のかかる手直し作業が必要になることも多い。ブラシ以外の密封剤アプリケータも使用可能であるが、望ましい品質の密封被覆を実現するためには、かかるアプリケータにも熟練作業員の手動制御が必要である。更に、非ブラシ式アプリケータの使用法及びトレーサビリティは個々のユーザ間で統一されず、このことが効率及び初期製品の品質に悪影響を与える。
【発明の概要】
【０００３】
［００３］したがって、少なくとも上述の懸念に対処することを目的とした装置及び方法があれば、それらは有用性を見い出すことになろう。
【０００４】
［００４］下記には、本発明による主題の例が非網羅的に列挙されており、これらの例は、特許請求されることも、されないこともある。
【０００５】
［００５］本発明による主題の一例は、嵌合キャップを作製するためのシステムに関する。嵌合キャップ（３００）は、ファスナの一部分に成形密封シュラウドを付着させるよう構成される。システムは支持プレートを備え、この支持プレートは、第１の側と、第１の側の反対側の第２の側と、第１の側から第２の側まで支持プレートを貫通している第１の複数の貫通開口とを備える。システムは、ファスナの部分と寸法が同一のファスナテンプレートであって、第１の複数の貫通開口がファスナテンプレートの周りに配置されるように支持プレートの第１の側から延在している、ファスナテンプレートも備える。システムは先行キャップ（ｐｒｅｃｕｒｓｏｒ  ｃａｐ）を更に備え、この先行キャップは、ファスナテンプレートの形状寸法を補完する第１表面と、第１表面の反対側の、第１表面に平行な第２表面とを備える。加えて、システムは、第１ポリマーシートを特定の温度まで加熱するための第１手段と、支持プレートの第１の側から所定の距離のところに位置付けられ、かつ第１手段によって特定の温度まで加熱された第１ポリマーシートを、先行キャップの上に真空形成するために、支持プレートの第２の側から第１の複数の貫通開口を通じて第１ポリマーシートに吸引を行うための、第２手段とを、備える。第２手段は、（ｉ）先行キャップの上に第１ポリマーシートを真空形成した後に、第１ポリマーシートの少なくとも一部分が嵌合キャップを形成するように、かつ、（ｉｉ）嵌合キャップの第１内表面が先行キャップの第２表面の形状寸法を補完するように、吸引を行うよう構成される。
【０００６】
［００６］システムは、先行キャップの第２表面の形状寸法を補完する嵌合キャップの形成を実現するものであり、先行キャップの第２表面は、先行キャップの第１表面に平行になるので、ファスナテンプレートの形状寸法を補完することになる。このシステムによって形成される嵌合キャップにより、嵌合キャップと、ファスナの嵌合キャップがファスナの上に位置付けられている部分との間に、均一な間隙が作り出される。ゆえに、嵌合キャップにより、例えば手作業による密封剤のブラシ塗布と比較して、ファスナのこの部分の上に密封剤を連続的かつ均一に付着させることが容易になる。
【０００７】
［００７］本発明による主題の別の例は、ファスナの一部分に成形密封シュラウドを付着させるためのシステムに関する。システムは嵌合キャップを備え、この嵌合キャップは、壁部を備え、かつ、壁部とファスナの部分との間に均一な間隙が形成されるように、ファスナのこの部分の上に位置付けられることが可能である。嵌合キャップは、（ｉ）均一な間隙と流通可能に連結するよう構成されるように、壁部を完全貫通している入口開口と、（ｉ）均一な間隙と流通可能に連結するよう構成されるように、壁部を完全貫通している排出口（ｖｅｎｔ）とを、更に備える。入口開口と排出口とは、壁部に沿って互いから離間している。システムは、シャフトを備えるキャップ操作ツールも備える。このシャフトは、長手方向中心軸を有しており、密封剤を受容するよう、かつ内部を通して密封剤を流通させるよう構成された、円周方向が閉ざされた貫通チャネルを備える。キャップ操作ツールは、（ｉ）シャフトの円周方向が閉ざされた貫通チャネルが、嵌合キャップの入口開口を通じて均一な間隙内へと密封剤を流通させることが可能になるように、（ｉｉ）排出口が、円周方向が閉ざされた貫通チャネルを通って均一な間隙内へと密封剤が流通する際に、均一な間隙からガスをパージするよう配向されるように、かつ、（ｉｉｉ）密封剤を均一な間隙内に分散させて、ファスナの部分の周囲に成形密封シュラウドを形成するために、嵌合キャップが、シャフトの長手方向中心軸の周りでシャフトと一緒に回転可能になるように、嵌合キャップに連結するよう構成される。
【０００８】
［００８］システムは、キャップ操作ツールと嵌合キャップとを、ひとまとめに連結されうる別個の構成要素として提供し、単一のキャップ操作ツールが多種多様なサイズ及び形状の嵌合キャップと共に使用されることを可能にする。多種多様なサイズ及び形状の嵌合キャップの各々は、対応する１つのサイズ及び種類のファスナと共に使用されるために設計されうることを、理解すべきである。また、嵌合キャップがファスナの部分の上に位置付けられた状態で、嵌合キャップが長手方向中心軸の周りでシャフトと一緒に回転可能であることで、シャフトを単純に一回転させることにより、ファスナのこの部分の表面全体に、円周方向が閉ざされた貫通チャネルを通じて供給される密封剤を均一に広げることが、容易になる。例えば、嵌合キャップがファスナの部分の上に位置付けられた状態での、長手方向中心軸の周りでのシャフトの回転は、この部分の周囲に沿って密封剤の分散のバランスを取ること、及び／又は、ファスナのこの部分の上で嵌合キャップを動的に心出しする（ｃｅｎｔｅｒ）ことに、役立つ。加えて、キャップ操作ツールの円周方向が閉ざされた貫通チャネルを通じて密封剤が供給される際の、均一な間隙からのガスのパージを容易にし、成形密封シュラウドにおける気泡又はその他の不具合の形成を抑制するために、入口開口と排出口とが協働する。
【０００９】
［００９］本発明による主題の別の例は、ファスナの一部分に成形密封シュラウドを付着させるためのシステムに関する。システムは嵌合キャップを備え、この嵌合キャップは、壁部と、壁部によって画定され、かつ内部に密封剤を受容するよう構成されたキャップキャビティと、壁部を完全に貫通している放出開口とを備える。嵌合キャップは、（ｉ）ファスナの部分がキャップキャビティの中に受容されるように、（ｉｉ）嵌合キャップの壁部とファスナのこの部分との間に均一な間隙が形成されるように、かつ、（ｉｉｉ）放出開口が均一な間隙と流通可能に連結されるように、ファスナのこの部分の上に位置付けられることが可能である。システムは、シャフトを備えるキャップ操作ツールも備える。このシャフトは、長手方向中心軸を有しており、円周方向が閉ざされた貫通チャネルを備える。キャップ操作ツールは、（ｉ）シャフトの円周方向が閉ざされた貫通チャネルが、嵌合キャップの放出開口と流通可能に連結されるように、かつ、（ｉｉ）キャップキャビティ内に既に導入されている密封剤を均一な間隙内に分散させて、ファスナの部分の周囲に成形密封シュラウドを形成するために、嵌合キャップが、シャフトの長手方向中心軸の周りでシャフトと一緒に回転可能になるように、嵌合キャップに連結するよう構成される。放出開口は、均一な間隙からシャフトの円周方向が閉ざされた貫通チャネル内へと、ガスと余分な密封剤の少なくとも一方をパージするよう配向される。
【００１０】
［００１０］システムは、キャップ操作ツールと嵌合キャップとを、ひとまとめに連結されうる別個の構成要素として提供し、単一のキャップ操作ツールが多種多様なサイズ及び形状の嵌合キャップと共に使用されることを可能にする。多種多様なサイズ及び形状の嵌合キャップの各々は、対応する１つのサイズ及び種類のファスナと共に使用されるために設計されうることを、理解すべきである。また、嵌合キャップがファスナの部分の上に位置付けられた状態で、嵌合キャップが長手方向中心軸の周りでシャフトと一緒に回転可能であることで、シャフトを単純に一回転させることにより、ファスナのこの部分の表面全体に、円周方向が閉ざされた貫通チャネルを通じて供給される密封剤を均一に広げることが、容易になる。例えば、嵌合キャップがファスナの部分の上に位置付けられた状態での、長手方向中心軸の周りでのシャフトの回転は、ファスナのこの部分の周囲に沿って密封剤の分散のバランスを取ること、及び／又は、この部分の上で嵌合キャップを動的に心出しすることに、役立つ。加えて、均一な間隙からのガス及び／又は余分な密封剤のパージを容易にし、成形密封シュラウドにおける気泡又はその他の不具合の形成を抑制するために、放出開口と、シャフトの円周方向が閉ざされた貫通チャネルとが協働する。
【００１１】
［００１１］本発明による主題の別の例は、嵌合キャップを作製する方法に関する。嵌合キャップは、ファスナの一部分に成形密封シュラウドを付着させるよう構成される。この方法は、先行キャップでファスナテンプレートを覆うことを含む。ファスナテンプレートは、支持プレートの第１の側から延在する。支持プレートは、第１の側の反対側の第２の側と、第１の側から第２の側まで支持プレートを貫通しており、かつファスナテンプレートの周りに配置された、第１の複数の貫通開口とを備える。先行キャップは、ファスナテンプレートの形状寸法を補完する第１表面と、第１表面の反対側の、第１表面に平行な第２表面とを備える。ファスナテンプレートは、ファスナの部分と寸法が同一である。方法は、第１ポリマーシートを特定の温度まで加熱することと、支持プレートの第１の側から所定の距離のところに位置付けられ、かつ特定の温度まで加熱された第１ポリマーシートを、先行キャップの上に真空形成するために、支持プレートの第２の側から、第１の複数の貫通開口を通じて第１ポリマーシートに吸引を行うことも、含む。先行キャップの上に第１ポリマーシートを真空形成した後に、第１ポリマーシートの少なくとも一部分は嵌合キャップを形成し、嵌合キャップの第１内表面が先行キャップの第２表面の形状寸法を補完する。
【００１２】
［００１２］先行キャップの第２表面の形状寸法を補完する、形成された嵌合キャップは、先行キャップの第１表面に平行になるので、ファスナテンプレートの形状寸法を補完することになる。この嵌合キャップにより、嵌合キャップと、ファスナの嵌合キャップがファスナの上に位置付けられている部分との間に、均一な間隙が作り出される。ゆえに、嵌合キャップにより、例えば手作業による密封剤のブラシ塗布と比較して、ファスナのこの部分の上に密封剤を連続的かつ均一に付着させることが容易になる。
【００１３】
［００１３］本発明による主題の別の例は、ファスナの一部分に成形密封シュラウドを付着させるための方法に関する。この方法は、壁部を備える嵌合キャップを、嵌合キャップの壁部とファスナの部分との間に均一な間隙が形成されるように、ファスナのこの部分の上に位置付けることを含む。嵌合キャップは（ｉ）均一な間隙と流通可能に連結するよう構成されるように、壁部を完全貫通している入口開口と、（ｉｉ）均一な間隙と流通可能に連結するよう構成されるように、壁部を完全貫通している排出口とを、更に備える。入口開口と排出口とは、壁部に沿って互いから離間している。方法は、キャップ操作ツールと嵌合キャップとを連結させることも含む。キャップ操作ツールはシャフトを備え、このシャフトは、嵌合キャップの入口開口と流通可能に連結されるよう構成された、円周方向が閉ざされた貫通チャネルを備える。方法は、嵌合キャップの入口開口を通じてシャフトの円周方向が閉ざされた貫通チャネル内に、及び均一な間隙内に、密封剤を供給することを更に含む。排出口は、円周方向が閉ざされた貫通チャネルを通って均一な間隙内へと密封剤が流通する際に、均一な間隙からガスをパージするよう配向される。方法は、シャフトの長手方向中心軸の周りでシャフトを回転させることを更に含む。嵌合キャップは、密封剤を均一な間隙内に分散させて、ファスナの部分の周囲に成形密封シュラウドを形成するように、シャフトと一緒に回転する。
【００１４】
［００１４］キャップ操作ツールと嵌合キャップとを、ひとまとめに連結されうる別個の構成要素として提供することで、単一のキャップ操作ツールが多種多様なサイズ及び形状の嵌合キャップと共に使用されることが可能になる。多種多様なサイズ及び形状の嵌合キャップの各々は、対応する１つのサイズ及び種類のファスナと共に使用されるために設計されうることを、理解すべきである。また、嵌合キャップがファスナの部分の上に位置付けられた状態で、嵌合キャップが長手方向中心軸の周りでシャフトと一緒に回転可能であることで、シャフトを単純に一回転させることにより、ファスナのこの部分の表面全体に、円周方向が閉ざされた貫通チャネルを通じて供給される密封剤を均一に広げることが、容易になる。例えば、嵌合キャップがファスナの部分の上に位置付けられた状態での、長手方向中心軸の周りでのシャフトの回転は、ファスナのこの部分の周囲に沿って密封剤の分散のバランスを取ること、及び／又は、この部分の上で嵌合キャップを動的に心出しすることに、役立つ。加えて、キャップ操作ツールの円周方向が閉ざされた貫通チャネルを通じて密封剤が供給される際の、均一な間隙からのガスのパージを容易にし、成形密封シュラウドにおける気泡又はその他の不具合の形成を抑制するために、入口開口と排出口とが協働する。
【００１５】
［００１５］本発明による主題の別の例は、ファスナの一部分に成形密封シュラウドを付着させるための方法に関する。この方法は、キャップ操作ツールと嵌合キャップとを連結させることを含む。嵌合キャップは、壁部と、壁部によって画定されたキャップキャビティと、壁部を完全に貫通している放出開口とを備える。キャップ操作ツールはシャフトを備え、このシャフトは、嵌合キャップの放出開口に放出可能に連結されるよう構成された、円周方向が閉ざされた貫通チャネルを備える。方法は、キャップキャビティ内に密封剤を導入することと、（ｉ）ファスナの部分がキャップキャビティの中に受容されるように、（ｉｉ）嵌合キャップの壁部とファスナのこの部分との間に均一な間隙が形成されるように、かつ、（ｉｉｉ）嵌合キャップの放出開口が均一な間隙と流通可能に連結されるように、ファスナのこの部分の上に嵌合キャップを位置付けることも含む。方法は、シャフトの長手方向中心軸の周りでシャフトを回転させることを更に含む。嵌合キャップは、キャップキャビティ内に既に導入されている密封剤を均一な間隙内に分散させて、ファスナの部分の周囲に成形密封シュラウドを形成するように、シャフトと一緒に回転する。放出開口は、均一な間隙から、ガスと余分な密封剤の少なくとも一方をパージするよう配向される。
【００１６】
［００１６］キャップ操作ツールと嵌合キャップとを、ひとまとめに連結されうる別個の構成要素として提供することで、単一のキャップ操作ツールが多種多様なサイズ及び形状の嵌合キャップと共に使用されることが可能になる。多種多様なサイズ及び形状の嵌合キャップの各々は、対応する１つのサイズ及び種類のファスナと共に使用されるために設計されうることを、理解すべきである。また、嵌合キャップがファスナの部分の上に位置付けられた状態で、嵌合キャップが長手方向中心軸の周りでシャフトと一緒に回転可能であることで、シャフトを単純に一回転させることにより、ファスナのこの部分の表面全体に、円周方向が閉ざされた貫通チャネルを通じて供給される密封剤を均一に広げることが、容易になる。例えば、嵌合キャップがファスナの部分の上に位置付けられた状態での、長手方向中心軸の周りでのシャフトの回転は、ファスナのこの部分の周囲に沿って密封剤の分散のバランスを取ること、及び／又は、この部分の上で嵌合キャップを動的に心出しすることに、役立つ。加えて、均一な間隙からのガス及び／又は余分な密封剤のパージを容易にし、成形密封シュラウドにおける気泡又はその他の不具合の形成を抑制するために、放出開口と、シャフトの円周方向が閉ざされた貫通チャネルとが協働する。
【００１７】
［００１７］本発明の一又は複数の例は一般論として説明されているので、これより添付図面に言及するが、それらは必ずしも正寸で描かれているわけではなく、複数の図を通して、類似の参照記号は同じ又は類似の部分を指し示している。
【図面の簡単な説明】
【００１８】
【図１】［００１８］本開示の一又は複数の例による、ファスナの一部分に成形密封シュラウドを付着させるよう構成された嵌合キャップを作製するためのシステムのブロック図である。
【図２】［００１９］本開示の一又は複数の例による、ファスナの上に位置付けられた、図１のシステムによって形成された嵌合キャップの概略立面部分切断図である。
【図３】［００２０］本開示の一又は複数の例による、図１のシステムの概略斜視図である。
【図４】［００２１］本開示の一又は複数の例による、図１のシステムのサブアセンブリの概略立面部分切断図である。
【図５】［００２２］本開示の一又は複数の例による、図１のシステムのサブアセンブリの概略立面部分切断図である。
【図６】［００２３］本開示の一又は複数の例による、図１のシステムのサブアセンブリの概略斜視図である。
【図７】［００２４］本開示の一又は複数の例による、図１のシステムのサブアセンブリの概略立面図である。
【図８】［００２５］本開示の一又は複数の例による、図１のシステムのサブアセンブリに形成された嵌合キャップの概略立面図である。
【図９】［００２６］本開示の一又は複数の例による、図１のシステムのサブアセンブリの概略斜視図である。
【図１０】［００２７］本開示の一又は複数の例による、図１のシステムのサブアセンブリの概略立面断面図である。
【図１１】［００２８］本開示の一又は複数の例による、図１のシステムのサブアセンブリに形成された嵌合キャップの概略立面断面図である。
【図１２】［００２９］本開示の一又は複数の例による、図１のシステムのサブアセンブリの概略立面断面図である。
【図１３】［００３０］本開示の一又は複数の例による、図１のシステムのサブアセンブリに形成された嵌合キャップの概略立面部分切断図である。
【図１４】［００３１］本開示の一又は複数の例による、図１のシステムのサブアセンブリに形成された嵌合キャップの概略立面部分切断図である。
【図１５】［００３２］本開示の一又は複数の例による、ファスナの一部分に成形密封シュラウドを付着させるためのシステムのブロック図である。
【図１６】［００３３］本開示の一又は複数の例による、図１５のシステムの概略立面部分切断図である。
【図１７】［００３４］本開示の一又は複数の例による、ファスナの一部分に成形密封シュラウドを付着させるためのシステムのブロック図である。
【図１８】［００３５］本開示の一又は複数の例による、図１７のシステムの概略立面部分切断図である。
【図１９Ａ】［００３６］本開示の一又は複数の例による、図１のシステムを利用して、ファスナの一部分に成形密封シュラウドを付着させるよう構成された嵌合キャップを作製する方法の、ブロック図の一部である。
【図１９Ｂ】本開示の一又は複数の例による、図１のシステムを利用して、ファスナの一部分に成形密封シュラウドを付着させるよう構成された嵌合キャップを作製する方法の、ブロック図の一部である。
【図１９Ｃ】本開示の一又は複数の例による、図１のシステムを利用して、ファスナの一部分に成形密封シュラウドを付着させるよう構成された嵌合キャップを作製する方法の、ブロック図の一部である。
【図１９Ｄ】本開示の一又は複数の例による、図１のシステムを利用して、ファスナの一部分に成形密封シュラウドを付着させるよう構成された嵌合キャップを作製する方法の、ブロック図の一部である。
【図２０Ａ】［００３７］本開示の一又は複数の例による、図１５のシステムを利用してファスナの一部分に成形密封シュラウドを付着させる方法の、ブロック図の一部である。
【図２０Ｂ】本開示の一又は複数の例による、図１５のシステムを利用してファスナの一部分に成形密封シュラウドを付着させる方法の、ブロック図の一部である。
【図２１Ａ】［００３８］本開示の一又は複数の例による、図１７のシステムを利用してファスナの一部分に成形密封シュラウドを付着させる方法の、ブロック図の一部である。
【図２１Ｂ】本開示の一又は複数の例による、図１７のシステムを利用してファスナの一部分に成形密封シュラウドを付着させる方法の、ブロック図の一部である。
【図２２】［００３９］航空機の製造・保守方法のブロック図である。
【図２３】［００４０］航空機の概略図である。
【発明を実施するための形態】
【００１９】
［００４１］上述の図１、図１５、及び図１７では、様々な要素及び／又は構成要素を接続する実線が存在する場合、これらの実線は、機械的、電気的、流体的、光学的、電磁的な連結、及びその他の連結、並びに／又はそれらの組合せを表わしうる。本書における「連結され（ｃｏｕｐｌｅｄ）」とは、直接的に並びに間接的に関連付けられていることを意味する。例えば、部材Ａは部材Ｂに直接関連付けられうるか、又は、例えば別の部材Ｃを介して、間接的に関連付けられうる。開示されている様々な要素間の全ての関連が必ずしも表わされているわけではないことが、理解されよう。したがって、ブロック図に描かれているもの以外の連結も存在しうる。様々な要素及び／又は構成要素を指し示すブロック同士を接続する破線が存在する場合、これらの破線は、機能及び目的の点で実線によって表されているものに類似した連結を表わす。しかし、破線によって表わされた連結は、選択的に提供されるか、又は、本開示の代替例に関連するかの、いずれかでありうる。同様に、破線で表わされた要素及び／又は構成要素が存在する場合、それらは本開示の代替例を示す。実線及び／又は破線で示されている一又は複数の要素は、本開示の範囲から逸脱しなければ、特定の例から省略されうる。環境要素が存在する場合、それらは点線で表わされる。分かりやすくするために、仮想的な（架空の）要素も示されていることがある。当業者は、図１、図１５、及び図１７に示している特徴の一部は、図１、図１５、及び図１７、その他の図、並びに／又は付随する開示において説明されている別の特徴を含むことを必要とせずに、様々な方法で組み合わされうる（ただし、一又は複数のかかる組み合わせは本書に明示されていない）ことを、認識しよう。同様に、提示されている例に限定されない更なる特徴が、本書で図示し、説明している特徴の一部又は全部と組み合わされうる。
【００２０】
［００４２］上述の図１９Ａ、図１９Ｂ、図１９Ｃ、図１９Ｄ、図２０Ａ、図２０Ｂ、図２１Ａ、図２１Ｂ、及び図２２では、ブロックは工程及び／又はその一部を表わしていることがあり、様々なブロック同士を接続する線は、工程又はその一部の、いかなる特定の順序も従属関係も示唆するものではない。破線で表わされているブロックは、代替的な工程及び／又はその部分を示す。様々なブロックを接続する破線がある場合、この破線は工程又はその一部の代替的な従属関係を表わす。開示されている様々な工程間の全ての従属関係が必ずしも表わされているわけではないことが、理解されよう。本書に明記されている方法（複数可）の工程について説明している図１９Ａ、図１９Ｂ、図１９Ｃ、図１９Ｄ、図２０Ａ、図２０Ｂ、図２１Ａ、図２１Ｂ、及び図２２、並びに付随する開示は、必ずしも、これらの工程が実施されるシーケンスを決定するものと解釈されるべきではない。むしろ、ある例示的な順序が示されていても、工程のシーケンスは適宜改変されうると理解されたい。したがって、ある種の複数の工程は、異なる順序で、又は同時に実施されうる。加えて、説明されている全ての工程を実施する必要はないことを、当業者は認識しよう。
【００２１】
［００４３］以下の説明において、開示されている概念の網羅的な理解を提供するために多数の具体的な詳細事項が明記されるが、これらの概念は、その特定事項の一部又は全部を伴わなくとも、実践されうる。他の事例においては、開示を不必要に分かりにくくすることを避けるために、既知のデバイス及び／又はプロセスの詳細が省略されている。一部の概念は特定の例と併せて説明されるが、これらの例は、限定を目的とするものではないと理解されよう。
【００２２】
［００４４］「第１（ｆｉｒｓｔ）」、「第２（ｓｅｃｏｎｄ）」などの語は、別途指示されない限り、本書では単に符号として使用されており、これらの語が表わすアイテムに、順序的、位置的、又は序列的な要件を課すことを意図するものではない。更に、例えば「第２」のアイテムへの言及は、例えば「第１」のアイテム又はより小さい数が振られたアイテム、及び／又は、例えば「第３」のアイテム又はより大きな数が振られたアイテムの存在を、必要とすることも、排除することもない。
【００２３】
［００４５］本書における「一例（ｏｎｅ  ｅｘａｍｐｌｅ）」への言及は、その例に関連して説明される一又は複数の特徴、構造又は特性が、少なくとも１つの実行形態に含まれることを意味する。本明細書に頻出する「一例」という表現は、同一の例を表わすことも、表わさないこともある。
【００２４】
［００４６］本書において、特定の機能を実施する「よう構成／設定された（ｃｏｎｆｉｇｕｒｅｄ  ｔｏ）」システム、装置、構造、物品、要素、構成要素、又はハードウェアは、実際には、いかなる変更も伴わずにその特定の機能を実施することが可能であり、更なる改変の後にその特定の機能を実施する可能性があるにすぎないというものではない。換言すると、特定の機能を実施する「よう構成／設定された」システム、装置、構造、物品、要素、構成要素、又はハードウェアは、その特定の機能を実施するという目的のために、特に選択され、作り出され、実装され、利用され、プログラムされ、かつ／又は設計される。本書において、「よう構成／設定された」という表現は、更なる改変を伴わずにシステム、装置、構造、物品、要素、構成要素、又はハードウェアが特定の機能を実施することを可能にする、システム、装置、構造、物品、要素、構成要素、又はハードウェアの特性が、存在することを意味する。この開示において、特定の機能を実施する「よう構成／設定され」ていると説明されているシステム、装置、構造、物品、要素、構成要素、又はハードウェアは、追加的又は代替的には、その機能を実施するよう「適合している（ａｄａｐｔｅｄ  ｔｏ）」及び／又は「動作可能である（ｏｐｅｒａｔｉｖｅ  ｔｏ）」とも説明されうる。
【００２５】
［００４７］本開示による主題の、特許請求されることも、されないこともある例示的かつ非網羅的な例が、以下で提供される。
【００２６】
［００４８］図１を概括的に参照しつつ、例えば図２から図４を詳細に参照するに、嵌合キャップ３００を作製するためのシステム２００が開示されている。嵌合キャップ３００は、ファスナ１００の部分１０６に成形密封シュラウド５９０を付着させるよう構成される。システム２００は支持プレート２１０を備える。支持プレート２１０は、第１の側２１６と、第１の側２１６の反対側の第２の側２１８とを備える支持プレート２１０は、第１の側２１６から第２の側２１８まで支持プレート２１０を貫通している、第１の複数の貫通開口２１２も備える。システム２００は、ファスナ１００の部分１０６と寸法が同一のファスナテンプレート２０２であって、第１の複数の貫通開口２１２がファスナテンプレート２０２の周りに配置されるように、支持プレート２１０の第１の側２１６から延在している、ファスナテンプレート２０２を更に備える。システム２００は先行キャップ３２０を更に備え、この先行キャップ３２０は、ファスナテンプレート２０２の形状寸法を補完する第１表面３２２と、第１表面３２２の反対側の、第１表面３２２に平行な第２表面３２４とを備える。加えて、システム２００は、第１ポリマーシート２７０を特定の温度まで加熱するための第１手段２１７を備える。システム２００は、支持プレート２１０の第１の側２１６から所定の距離２０５のところに位置付けられ、かつ第１手段２１７によって特定の温度まで加熱された第１ポリマーシート２７０を、先行キャップ３２０の上に真空形成するために、支持プレート２１０の第２の側２１８から第１の複数の貫通開口２１２を通じて第１ポリマーシート２７０に吸引を行うための、第２手段２１９を更に備える。第２手段２１９は、（ｉ）先行キャップ３２０の上に第１ポリマーシート２７０を真空形成した後に、第１ポリマーシート２７０の少なくとも一部分が嵌合キャップ３００を形成するように、かつ、（ｉｉ）嵌合キャップ３００の第１内表面３４２が先行キャップ３２０の第２表面３２４の形状寸法を補完するように、吸引を行うよう構成される。この段落の前述の記載は本開示の例１を特徴付けるものである。
【００２７】
［００４９］システム２００は、先行キャップ３２０の第２表面３２４の形状寸法を補完する嵌合キャップ３００の形成を実現し、先行キャップ３２０の第２表面３２４は、先行キャップ３２０の第１表面３２２に平行になるので、ファスナテンプレート２０２の形状寸法を補完することになる。システム２００によって形成される嵌合キャップ３００により、嵌合キャップ３００と、ファスナ１００の嵌合キャップ３００がファスナ１００の上に位置付けられている部分１０６との間に、均一な間隙３０２が作り出される。ゆえに、嵌合キャップ３００は、例えば手作業による密封剤５９２のブラシ塗布と比較して、ファスナ１００の部分１０６の上に密封剤５９２を連続的かつ均一に付着させることを容易にする。
【００２８】
［００５０］本書において、「周りに配置され（ａｒｒａｎｇｅｄ  ａｂｏｕｔ）」という語は、「周囲に（ａｒｏｕｎｄ）」又は「あらゆる側に（ｏｎ  ａｌｌ  ｓｉｄｅｓ）」ということを意味する。例えば、ファスナテンプレート２０２は、支持プレート２１０の第１の側２１６の、第１の側２１６によって画定されたファスナテンプレートの場所２１４に連結され、第１の複数の貫通開口２１２が、第１の側２１６の、ファスナテンプレートの場所２１４の周囲のあらゆる側に配置される。
【００２９】
［００５１］本書において、「寸法が同一（ｄｉｍｅｎｓｉｏｎａｌｌｙ  ｉｄｅｎｔｉｃａｌ）」という語は、寸法が完全に同一であることを必要とするものではなく、むしろ、実質的に寸法が同一である（例えば、ファスナテンプレート２０２の形成に適した装置及び方法に関連する許容誤差レベルの範囲内で、寸法が同一である）ことも含む。一例では、ファスナテンプレート２０２は、嵌合キャップ３００の使用が求められるファスナ１００と種類及びサイズが同じ、試料である。換言すると、ファスナテンプレート２０２は単に、支持プレート２１０のファスナテンプレートの場所２１４に連結された、ファスナ１００の一試料である。この例では、「寸法が同一」とは、ファスナ１００の製造に関連する機械加工許容誤差の範囲内で、寸法が同一であることを意味する。あるいは、ファスナテンプレート２０２は任意の好適な様態で形成され、「寸法が同一」とは、ファスナテンプレート２０２の対応する製造方法に関連する機械加工許容誤差の範囲内で、寸法が同一であることを意味する。
【００３０】
［００５２］本書において、「形状寸法を補完（ｇｅｏｍｅｔｒｉｃａｌｌｙ  ｃｏｍｐｌｅｍｅｎｔａｒｙ）」という語は、完全に形状寸法を補完することを必要とするものではなく、むしろ、実質的に形状寸法を補完する（例えば、本書に記載のシステム及び方法に適した熱可塑性シートを真空形成するための装置によって取得可能な形状に関連する許容誤差レベルの範囲内で、形状寸法を補完する）ことも含む。本書において、「平行（ｐａｒａｌｌｅｌ）」という語は、完全に平行であることを必要とするものではなく、むしろ、実質的に平行である（例えば、本書に記載のシステム及び方法に適した熱可塑性シートを真空形成するための装置によって取得可能な形状に関連する許容誤差レベルの範囲内で、平行である）ことも含む。「均一な間隙（ｕｎｉｆｏｒｍ  ｇａｐ）」という語は、完全に均一であることを必要とするものではなく、むしろ、実質的に均一である（例えば、本書に記載のシステム及び方法に適した熱可塑性シートを真空形成するための装置によって取得可能な形状に関連する許容誤差レベルの範囲内で、均一である）ことも含む。
【００３１】
［００５３］一例では、ファスナ１００は、ネジ式ボルト１０８、六角ナット１１２、及び少なくとも１つのワッシャー１１４を含み、かつ、第１部材１０２と第２部材１０４とを連結する。ボルト１０８のネジ端部１１０は、六角ナット１１２及び少なくとも１つのワッシャー１１４と組み合わされて、第１部材１０２の基部表面１０３から延在し、ファスナ１００の部分１０６を含む。技術要件により、限定のためではなく例示を目的として、部分１０６を覆う密封シュラウド５９０は、０．０４０インチ〜０．０６０という所定の許容誤差範囲内のシュラウド厚５９４を有さなくてはならず、かつ、裸眼で視認可能な程度に均一でなくてはならないと、定められている。ファスナ１００の上に位置付けられる嵌合キャップ３００により、嵌合キャップ３００とファスナ１００の部分１０６との間に、密封剤５９２を受容して成形密封シュラウド５９０を形成するための均一な間隙３０２が形成され、均一な間隙３０２は、シュラウド厚５９４の所定の許容誤差範囲内におさまる。他の例では、ファスナ１００の種類及びファスナ１００を含む構成要素は他の任意の好適な種類のものであり、この例で説明されているファスナ１００に限定されるわけではない。他の例では、シュラウド厚５９４に関連する所定の許容誤差範囲は、他の任意の好適な許容誤差範囲であり、この例で説明されている０．０４０インチ〜０．０６０インチに限定されるわけではない。
【００３２】
［００５４］様々な例において、第１ポリマーシート２７０を加熱するための第１手段２１７は、好適な送風乾燥機を備える。つまり、第１手段２１７は、加熱要素を越えて第１ポリマーシート２７０に向けて空気を送るよう構成された、加熱要素及びファンを含む。他の様々な例において、第１ポリマーシート２７０を加熱するための第１手段２１７は、好適な放射熱源（熱ランプなど）を備える。
【００３３】
［００５５］様々な例において、第１ポリマーシート２７０に吸引を行うための第２手段２１９は、好適な真空ポンプを備える。
【００３４】
［００５６］様々な例において、第１ポリマーシート２７０は、第１手段２１７により熱が加えられる前には、実質的に平らな配向で提供され、その周縁部に沿って保持されているが、第１ポリマーシート２７０が特定の温度に近づくにつれて、中央部分が周縁部に対して下向きに垂れ下がる傾向がある。所定の距離２０５とは、第１ポリマーシート２７０の保持されている周縁部と、支持プレート２１０の第１の側２１６との間の距離を表わす。
【００３５】
［００５７］また、様々な例において、所定の距離２０５とは、第１ポリマーシート２７０と支持プレート２１０の第１の側２１６との間の距離の範囲であって、吸引を行うための第２手段２１９が、上述のように、先行キャップ３２０の上に第１ポリマーシート２７０を有効に真空形成する、距離の範囲を包含する。
【００３６】
［００５８］様々な例において、第１ポリマーシート２７０は熱可塑性材料を含む。様々な例において、第１ポリマーシート２７０は、０．０４０インチ〜０．０６０インチの範囲内の厚さを有する。あるいは、第１ポリマーシート２７０は、嵌合キャップ３００が本書に記載しているように形成されることを可能にする、任意の好適な厚さを有する。
【００３７】
［００５９］図１を概括的に参照しつつ、例えば図２から図４を詳細に参照するに、ファスナテンプレート２０２は、中心軸２０４と、中心軸２０４の周りで回転対称なファスナテンプレート外表面２０３とを備える。この段落の前述の記載は本開示の例２を特徴付けるものであり、例２は上記の例１による記載も含む。
【００３８】
［００６０］ファスナテンプレート外表面２０３がファスナテンプレート２０２の中心軸２０４の周りに円周方向に延在していることで、ファスナテンプレート２０２が、中心軸に沿った細長い形状を有するファスナ１００（ボルト・ナット型又はリベット型のファスナなど）の部分１０６の外表面の代わりになることが、容易になる。
【００３９】
［００６１］「回転対称（ｒｏｔａｔｉｏｎａｌ  ｓｙｍｍｅｔｒｙ）」という語は、完全に回転対称であることを必要とするものではなく、むしろ、実質的に回転対称であることも含む。例えば、六角ナット１１２は、中心軸２０４の周りで完全に回転対称な六角形の辺を有するわけではないが、この開示の解釈では、中心軸２０４の周りで回転対称である。
【００４０】
［００６２］図１を概括的に参照しつつ、例えば図２から図４を詳細に参照するに、システム２００はインサート２５０を更に備える。インサート２５０の少なくとも一部分は、ファスナテンプレート２０２と先行キャップ３２０との間に位置付けられ、支持プレート２１０の第１の側２１６から遠ざかるように延在する。先行キャップ３２０は、（ｉ）第１表面３２２と連続しており、かつインサート２５０の形状寸法を補完する、第３表面３２３、及び、（ｉｉ）第２表面３２４と連続しており、第３表面３２３の反対側にあり、かつ第３表面３２３に平行な、第４表面３２５を、更に備える。第２手段２１９は、嵌合キャップ３００の第２内表面３４３が先行キャップ３２０の第４表面３２５の形状寸法を補完するように、吸引を行うよう、更に構成される。嵌合キャップ３００の第２内表面３４３は、嵌合キャップ３００の第１内表面３４２と連続している。この段落の前述の記載は本開示の例３を特徴付けるものであり、例３は上記の例２による記載も含む。
【００４１】
［００６３］先行キャップ３２０の別々の部分がファスナテンプレート２０２とインサート２５０にそれぞれ適合するように、インサート２５０は、少なくとも部分的に、先行キャップ３２０の下に位置付けられる。嵌合キャップ３００は先行キャップ３２０に接して真空形成されるので、インサート２５０によって、嵌合キャップ３００の別々の部分もそれぞれ、ファスナテンプレート２０２とインサート２５０に平行になり、かつファスナテンプレート２０２とインサート２５０からオフセットすることになる。換言すると、インサート２５０により、嵌合キャップ３００の一部分の形状が、ファスナ１００の部分１０６以外の要素に対応することになる。例えば、インサート２５０により、嵌合キャップ３００の一部分が、この開示で後述するキャップ操作ツール５００と協働するよう、成形されることになる。ゆえに、嵌合キャップ３００は、ファスナ１００の部分１０６の上に均一な間隙３０２を形成することと、この開示で後述する別のシステム５０１及び／又は１５０１の要素と協働することの両方のために、一体的に形成される。
【００４２】
［００６４］図１を概括的に参照しつつ、例えば図２から図４を詳細に参照するに、インサート２５０の少なくとも一部分はテーパ部２５２であって、テーパの方向が、ファスナテンプレート２０２の中心軸２０４に平行に配向されている、テーパ部２５２を備える。この段落の前述の記載は本開示の例４を特徴付けるものであり、例４は上記の例３による記載も含む。
【００４３】
［００６５］テーパ部２５２により、嵌合キャップ３００が、この開示で後述するキャップ操作ツール５００と連動するよう嵌合キャップ３００に組み込まれるテーパ界面部３１０と一体的に形成されることが、容易になる。
【００４４】
［００６６］図１を概括的に参照しつつ、例えば図２から図４を詳細に参照するに、インサート２５０は、第３表面３２３から第４表面３２５まで先行キャップ３２０を貫通する、穿孔部材２５４を備える。穿孔部材２５４は、ファスナテンプレート２０２の中心軸２０４に平行に配向される。この段落の前述の記載は本開示の例５を特徴付けるものであり、例５は上記の例３による記載も含む。
【００４５】
［００６７］穿孔部材２５４により、嵌合キャップ３００を、例えば、この開示で後述する、キャップ操作ツール５００から密封剤を受容するために嵌合キャップ３００に組み込まれる入口開口３０６と、又は、この開示で後述する、嵌合キャップ３００からキャップ操作ツール５００内へと密封剤５９２を排出するために嵌合キャップ３００に組み込まれる放出開口３１６と、一体式に形成することが容易になる。あるいは、入口開口３０６又は放出開口３１６は、嵌合キャップ３００を形成する初期プロセスの後に、別途付与される。
【００４６】
［００６８］図１を概括的に参照しつつ、例えば図２、図３、及び図５を詳細に参照するに、システム２００はインサート２５０を更に備え、インサート２５０は、先行キャップ３２０がファスナテンプレート２０２とインサート２５０との間に来るように位置付けられる。インサート２５０は、支持プレート２１０の第１の側２１６から遠ざかるように延在し、かつインサート外表面２５３を備える。嵌合キャップ３００は、嵌合キャップ３００の第１内表面３４２と連続している第２内表面３４３を更に備える。第２手段２１９は、嵌合キャップ３００の第２内表面３４３がインサート外表面２５３の形状寸法を補完するように、吸引を行うよう、更に構成される。この段落の前述の記載は本開示の例６を特徴付けるものであり、例６は上記の例２による記載も含む。
【００４７】
［００６９］インサート２５０は、嵌合キャップ３００の別々の部分が先行キャップ３２０とインサート２５０にそれぞれ適合するように、先行キャップ３２０の外部（例えば直上）に位置付けられる。先行キャップ３２０はファスナテンプレート２０２の形状寸法を補完する第１表面３２２を備えるので、インサート２５０によって、嵌合キャップ３００の別々の部分がそれぞれ、ファスナテンプレート２０２とインサート２５０に平行になり、かつファスナテンプレート２０２とインサート２５０からオフセットすることになる。換言すると、インサート２５０により、嵌合キャップ３００の一部分の形状が、ファスナ１００の部分１０６以外の要素に対応することになる。例えば、インサート２５０により、嵌合キャップ３００の一部分が、この開示で後述するキャップ操作ツール５００と協働するよう、成形されることになる。ゆえに、嵌合キャップ３００は、ファスナ１００の部分１０６の上に均一な間隙３０２を形成することと、この開示で後述する別のシステム５０１及び／又は１５０１の要素と協働することの両方のために、一体的に形成される。
【００４８】
［００７０］通常、様々な例において、インサート２５０を少なくとも部分的に先行キャップ３２０の下に位置付けること（例３参照）と、先行キャップ３２０をファスナテンプレート２０２とインサート２５０との間に位置付けること（例６参照）のいずれかによって、嵌合キャップ３００の別々の部分はそれぞれ、ファスナテンプレート２０２とインサート２５０に平行に、かつファスナテンプレート２０２とインサート２５０からオフセットして、形成されうる。
【００４９】
［００７１］図１を概括的に参照しつつ、例えば図２、図３、及び図５を詳細に参照するに、インサート２５０はテーパ部２５２を更に備え、テーパ部２５２は、（ｉ）先行キャップ３２０がファスナテンプレート２０２とてテーパ部２５２との間に来るように、かつ、（ｉｉ）テーパ部２５２のテーパの方向がファスナテンプレート２０２の中心軸２０４に平行になるように、位置付けられる。この段落の前述の記載は本開示の例７を特徴付けるものであり、例７は上記の例６による記載も含む。
【００５０】
［００７２］テーパ部２５２により、嵌合キャップ３００が、この開示で後述するキャップ操作ツール５００と連動するよう嵌合キャップ３００に組み込まれるテーパ界面部３１０と一体的に形成されることが、容易になる。
【００５１】
［００７３］図１を概括的に参照しつつ、例えば図２、図３、及び図５を詳細に参照するに、インサート２５０は穿孔部材２５４を更に備え、穿孔部材２５４は、先行キャップ３２０から遠ざかるように延在するように、ファスナテンプレート２０２の中心軸２０４に平行に配向される。この段落の前述の記載は本開示の例８を特徴付けるものであり、例８は上記の例６による記載も含む。
【００５２】
［００７４］穿孔部材２５４により、嵌合キャップ３００を、例えば、この開示で後述する、キャップ操作ツール５００から密封剤を受容するために嵌合キャップ３００に組み込まれる入口開口３０６と、又は、この開示で後述する、嵌合キャップ３００からキャップ操作ツール５００内へと密封剤５９２を排出するために嵌合キャップ３００に組み込まれる放出開口３１６と、一体式に形成することが容易になる。あるいは、入口開口３０６又は放出開口３１６は、嵌合キャップ３００を形成する初期プロセスの後に、別途付与される。
【００５３】
［００７５］図１を概括的に参照しつつ、例えば図３及び図６を詳細に参照するに、システム２００はフレーム２４０を更に備え、フレーム２４０は、フレーム２４０を操作することによって支持プレート２１０の第１の側２１６に対して第１ポリマーシート２７０が位置付け可能になるように、第１ポリマーシート２７０に連結可能である。この段落の前述の記載は本開示の例９を特徴付けるものであり、例９は、上記の例１から８のいずれか１つによる記載も含む。
【００５４】
［００７６］フレーム２４０により、特に、第１手段２１７による加熱中、及びその後の、第１ポリマーシート２７０が加熱されてプラスチックになった状態の時に、第１ポリマーシート２７０を取り扱うこと及び位置付けることが容易になる。
【００５５】
［００７７］図１を概括的に参照しつつ、例えば図３及び図６を詳細に参照するに、フレーム２４０は、フレーム２４０を通って延在している開口部２４９と、開口部２４９を取り囲み、かつ、第１ポリマーシート２７０が開口部２４９の端から端まで延在するように第１ポリマーシート２７０を固定するよう成形された、周縁部２４８とを備える。この段落の前述の記載は本開示の例１０を特徴付けるものであり、例１０は上記の例９による記載も含む。
【００５６】
［００７８］フレーム２４０により、周縁部２４８がユーザの手で把持されている間に、ファスナテンプレート２０２の上に、開口部２４９の端から端まで延在する第１ポリマーシート２７０を正確に配置することが、容易になる。
【００５７】
［００７９］図１を概括的に参照しつつ、例えば図３及び図６を詳細に参照するに、フレーム２４０は、第１フレーム面２４２と、第１フレーム面２４２の反対側の第２フレーム面２４４とを備える。第１フレーム面２４２と第２フレーム面２４４とは、第１ポリマーシート２７０を間に固定するよう、ひとまとめに連結可能である。この段落の前述の記載は本開示の例１１を特徴付けるものであり、例１１は上記の例９による記載も含む。
【００５８】
［００８０］第１フレーム面２４２と第２フレーム面２４４とがひとまとめに連結可能であることにより、第１ポリマーシート２７０とフレーム２４０との連結を簡素化することが容易になる。
【００５９】
［００８１］図１を概括的に参照しつつ、例えば図３、図７、及び図８を詳細に参照するに、システム２００は、先行キャップ３２０に連結された先行ラベル３３０を更に備え、第２手段２１９は、先行ラベル３３０が嵌合キャップ３００に埋め込みラベル３１４を刻印するように、吸引を行うよう、更に構成される。この段落の前述の記載は本開示の例１２を特徴付けるものであり、例１２は、上記の例１から８のいずれか１つによる記載も含む。
【００６０】
［００８２］埋め込みラベル３１４を刻印するために先行ラベル３３０を使用することで、例えば、嵌合キャップ３００と併用されることが意図されているファスナ１００の種類及びサイズを識別するコードを刻印することによって、製造された時点から、嵌合キャップ３００を恒久的に識別することが容易になる。例えば、先行ラベル３３０は、嵌合キャップ３００が先行キャップ３２０に接して真空形成される際に嵌合キャップ３００に刻印を形成する、盛り上がった又は浮き出したエッジを含む。エッジの高さは、この開示で後述するように嵌合キャップ３００がキャップ操作ツール５００と一緒に回転した後にも、シュラウド厚５９４に対する影響がほとんどないほどに、低いものにされる。様々な例において、先行ラベル３３０は、埋め込みラベルが嵌合キャップ３００に刻印されることを可能にする、アルファベットの、バーコードの、又は他の任意の好適なラベル若しくはコード、のうちの１つである。
【００６１】
［００８３］図１を概括的に参照しつつ、例えば図３、図７、及び図８を詳細に参照するに、先行キャップ３２０の色は、第１ポリマーシート２７０の色とは異なる。この段落の前述の記載は本開示の例１３を特徴付けるものであり、例１３は、上記の例１から８のいずれか１つによる記載も含む。
【００６２】
［００８４］先行キャップ３２０にある特定の色を割り当てることで、先行キャップ３２０の現場作業への混入を防止することが容易になる。先行キャップ３２０は、嵌合キャップ３００がファスナテンプレート２０２からオフセットして形成されることを容易にするようサイズ設定されるものであるので、ファスナ１００の部分１０６に成形密封シュラウド５９０を付着させるのに直接的に使用されるようにサイズ設定されるわけではない。先行キャップ３２０にある特定の色（例えば赤色）を割り当てることは、不注意から、（別の色の第１ポリマーシート２７０から形成される嵌合キャップ３００ではなく）先行キャップ３２０がファスナ１００の上に配置されることを防止するための、視覚的警告の役割を果たす。
【００６３】
［００８５］図１を概括的に参照しつつ、例えば図３、図７、及び図８を詳細に参照するに、第１ポリマーシート２７０の色は、ファスナ１００の種類とサイズの少なくとも一方に関連付けられる。この段落の前述の記載は本開示の例１４を特徴付けるものであり、例１４は上記の例１３による記載も含む。
【００６４】
［００８６］第１ポリマーシート２７０の色（嵌合キャップ３００の色でもある）を、併用することが意図されているファスナ１００のサイズ及び／又は種類と関連付けることで、嵌合キャップ３００が製造された時点から、ファスナ１００（これに適するように嵌合キャップ３００がサイズ設定される）の種類及び／又はサイズを、恒久的に識別することが容易になる。嵌合キャップ３００の各サイズ及び各種類（嵌合キャップ３００を併用することが意図されているファスナ１００のサイズ及び種類に対応している）に第１ポリマーシート２７０のある特定の色を割り当てることは、成形密封シュラウド５９０を付着させるためにファスナ１００の上に正しいサイズ及び種類の嵌合キャップ３００が配置されることを確実にするための、視覚的インジケータの役割を果たす。
【００６５】
［００８７］図１を概括的に参照しつつ、例えば図９及び図１０を詳細に参照するに、先行キャップ３２０は、先行キャップ厚３２６を有し、かつ第２ポリマーシート２２０の一部分を含む。第２ポリマーシート２２０は、先行キャップ厚３２６に対応する第２シート厚２２６を有する。この段落の前述の記載は本開示の例１５を特徴付けるものであり、例１５は、上記の例１から８のいずれか１つによる記載も含む。
【００６６】
［００８８］先行キャップ３２０が第２ポリマーシート２２０から形成されることにより、先行キャップ厚３２６は第２シート厚２２６に対応することになる。嵌合キャップ３００は、先行キャップ３２０の上に真空形成されるので、第２シート厚２２６の分だけ、ファスナテンプレート２０２からオフセットすることになる。ゆえに、様々な例において、第２ポリマーシート２２０の第２シート厚２２６は、成形密封シュラウド５９０のシュラウド厚５９４の既定の許容誤差範囲内になるよう、選択される。嵌合キャップ３００が形成され、先行キャップ３２０から分離され、ファスナテンプレート２０２と寸法が同一のファスナ１００の上に位置付けられた後には、嵌合キャップ３００とファスナ１００の部分１０６との間の均一な間隙３０２の間隙幅３１２も、第２シート厚２２６に対応することになるので、意図された通りに、成形密封シュラウド５９０のシュラウド厚５９４の既定の許容誤差範囲内になる。
【００６７】
［００８９］図１を概括的に参照しつつ、例えば図１１を詳細に参照するに、システム２００は、先行キャップ３２０と第１ポリマーシート２７０の少なくとも一方に塗布された、剥離剤３８２を更に備える。剥離剤３８２は、先行キャップ３２０の上に第１ポリマーシート２７０を真空形成した後の、嵌合キャップ３００の先行キャップ３２０からの分離を容易にするよう、構成される。この段落の前述の記載は本開示の例１６を特徴付けるものであり、例１６は上記の例１５による記載も含む。
【００６８】
［００９０］剥離剤３８２は、真空形成中及び真空成形後に第１ポリマーシート２７０と先行キャップ３２０との接着を抑制する、流れる又は広がることが可能な組成物である。様々な例において、剥離剤３８２は、剥離シート３８０よりも付けるのが容易である。様々な例において、塗布された剥離剤３８２は、先行キャップ厚３２６と比較して、無視できるほどの厚さしか有しない。
【００６９】
［００９１］図１を概括的に参照しつつ、例えば図９から図１１を詳細に参照するに、第２ポリマーシート２２０は、支持プレート２１０の第１の側２１６に接触するよう構成された第２シート外周部２３２と、第２シート外周部２３２における第２の複数の貫通開口２３０とを、更に備える。第２の複数の貫通開口２３０は、支持プレート２１０を貫通している第１の複数の貫通開口２１２と、位置が合っており、かつ流通可能に連結されている。この段落の前述の記載は本開示の例１７を特徴付けるものであり、例１７は上記の例１５による記載も含む。
【００７０】
［００９２］様々な例において、先行キャップ３２０が第２ポリマーシート２２０から形成された後の、嵌合キャップ３００が先行キャップ３２０の上に真空形成されている間、第２ポリマーシート２２０第２シート外周部２３２は、支持プレート２１０の第１の側２１６に残っている。第２シート外周部２３２における第２の複数の貫通開口２３０により、先行キャップ３２０の上に第１ポリマーシート２７０を真空形成するために、支持プレート２１０の第２の側２１８から第１の複数の貫通開口２１２を通じて吸引を行うことが容易になる。例えば、第２の複数の貫通開口２３０は、第２シート外周部２３２が、支持プレート２１０の第１の側２１６の第１の複数の貫通開口２１２の上に位置付けられている間に、第２シート外周部２３２に対して穿孔ツール（図示せず）を使用して１つずつ、第２シート外周部２３２に形成される。別の例では、第２の複数の貫通開口２３０は、第２シート外周部２３２が、支持プレート２１０の第１の側２１６の第１の複数の貫通開口２１２の上に位置付けられている間に、第２シート外周部２３２に対して、第１の複数の貫通開口２１２同士の間隔に一致するよう離間した複数の穿孔器を有する冶具（図示せず）を使用して、同時に、第２シート外周部２３２に形成される。あるいは、第２シート外周部２３２は、嵌合キャップ３００が先行キャップ３２０の上に真空形成される前に、先行キャップ３２０から切り取られ、支持プレート２１０から除去される。
【００７１】
［００９３］図１を概括的に参照しつつ、例えば図３、図１３、及び図１４を詳細に参照するに、システム２００は、支持プレート２１０の第１の側２１６とファスナテンプレート２０２との間に連結された、スペーサ２８０を更に備えるスペーサ２８０は、（ｉ）先行キャップ厚３２６と、（ｉｉ）第１ポリマーシート２７０の第１シート厚２７６と先行キャップ厚３２６との和、の一方に対応している、スペーサ厚２８６を有する。この段落の前述の記載は本開示の例１８を特徴付けるものであり、例１８は、上記の例１から８のいずれか１つによる記載も含む。
【００７２】
［００９４］様々な例において、フランジ３４０が、先行キャップ３２０から延在しており、かつ、嵌合キャップ３００の第１キャップ端部３０８と支持プレート２１０の第１の側２１６との間に挟持される。フランジ３４０は、嵌合キャップ３００を、嵌合キャップ３００とファスナ１００の部分１０６との垂直方向の位置合わせと比較して、ファスナテンプレート２０２に対して垂直方向にオフセットさせる傾向がある。スペーサ２８０は、フランジ３４０によって作り出されたこの垂直方向オフセットを補正するよう、サイズ設定される。ゆえに、嵌合キャップ３００の形成中に、スペーサ２８０によって、嵌合キャップ３００を、ファスナ１００が取り付けられる基部表面１０３に接して第１キャップ端部３０８が位置付けられた状態で嵌合キャップ３００の第１内表面３４２とファスナ１００の部分１０６との間に均一な間隙３０２が正確に形成されるように、ファスナ１００の部分１０６の上に位置付けられることが可能になるよう、形成することが容易になる。あるいは、フランジ３４０は、嵌合キャップ３００が先行キャップ３２０の上に真空形成される前に、先行キャップ３２０から切り取られる。
【００７３】
［００９５］図１を概括的に参照しつつ、例えば図９及び図１２を詳細に参照するに、先行キャップ３２０は、（ｉ）第２シート厚２２６を有する第２ポリマーシート２２０の一部分と、（ｉ）剥離シート厚３８６を有する剥離シート３８０の一部分とを、備える。先行キャップ厚３２６は、第２シート厚２２６と剥離シート厚３８６との和に等しい。この段落の前述の記載は本開示の例１９を特徴付けるものであり、例１９は、上記の例１から８のいずれか１つによる記載も含む。
【００７４】
［００９６］剥離シート３８０は、真空形成中及び真空形成後の第１ポリマーシート２７０と先行キャップ３２０との接着を抑制し、かつ、嵌合キャップ３００上の流れる／広がることが可能な剥離剤３８２に関連しうる残留物の堆積を回避する、固体シートである。先行キャップ３２０は、第２シート厚２２６を有する第２ポリマーシート２２０、及び剥離シート厚３８６を有する剥離シート３８０から、形成される。したがって、先行キャップ厚３２６は、第２シート厚２２６と剥離シート厚３８６との和になる。一例では、剥離シート３８０は、フッ化エチレンプロピレン（ＦＥＰ）から形成される。
【００７５】
［００９７］図１を概括的に参照しつつ、例えば図９及び図１２を詳細に参照するに、第２ポリマーシート２２０は、支持プレート２１０の第１の側２１６に接触するよう構成された第２シート外周部２３２と、第２シート外周部２３２における第２の複数の貫通開口２３０とを、更に備える。剥離シート３８０は、第２シート外周部２３２と接触するよう構成された剥離シート外周部３９２と、剥離シート３８０の剥離シート外周部３９２における第３の複数の貫通開口３９０とを、更に備える。第２ポリマーシート２２０の第２の複数の貫通開口２３０、及び剥離シート３８０の第３の複数の貫通開口３９０は、支持プレート２１０を貫通している第１の複数の貫通開口２１２と、位置が合っており、かつ流通可能に連結されている。この段落の前述の記載は本開示の例２０を特徴付けるものであり、例２０は上記の例１９による記載も含む。
【００７６】
［００９８］様々な例において、第２ポリマーシート２２０がファスナテンプレート２０２の上に真空形成された後の、剥離シート３８０が、第２ポリマーシート２２０のファスナテンプレート２０２を覆っている部分の上に真空形成されている間、第２ポリマーシート２２０の第２シート外周部２３２は、支持プレート２１０の第１の側２１６に残っている。第２シート外周部２３２における第２の複数の貫通開口２３０により、第２ポリマーシート２２０のファスナテンプレート２０２を覆っている部分の上に剥離シート３８０を真空形成するために、支持プレート２１０の第２の側２１８から第１の複数の貫通開口２１２を通じて吸引を行うことが容易になる。同様に、剥離シート３８０が、第２ポリマーシート２２０のファスナテンプレート２０２を覆っている部分の上に真空形成されている間、剥離シート３８０の剥離シート外周部３９２は、支持プレート２１０の第１の側２１６に残っている第２シート外周部２３２の上に、残っている。剥離シート外周部３９２における第３の複数の貫通開口３９０により、先行キャップ３２０の上に嵌合キャップ３００を真空形成するために、支持プレート２１０の第２の側２１８から第１の複数の貫通開口２１２を通じて吸引を行うことが容易になる。例えば、第２の複数の貫通開口２３０及び／又は第３の複数の貫通開口３９０は、上述のように、穿孔ツール（図示せず）又は冶具（図示せず）を使用して形成される。
【００７７】
［００９９］図１５を概括的に参照しつつ、例えば図２及び図１６を詳細に参照するに、ファスナ１００の部分１０６に成形密封シュラウド５９０を付着させるためのシステム５０１が開示されている。システム５０１は、壁部３０５を備える嵌合キャップ３００を備える。嵌合キャップ３００は、壁部３０５とファスナ１００の部分１０６との間に均一な間隙３０２が形成されるように、ファスナ１００の部分１０６の上に位置付けられることが可能である。嵌合キャップ３００は、均一な間隙３０２と流通可能に連結するよう構成されるように、壁部３０５を完全貫通している入口開口３０６を更に備える。嵌合キャップ３００は、均一な間隙３０２と流通可能に連結するよう構成されるように、壁部３０５を完全貫通している排出口３０９も備える。入口開口３０６と排出口３０９とは、壁部３０５に沿って互いから離間している。加えて、システム５０１は、シャフト５１０を備えるキャップ操作ツール５００を備える。シャフト５１０は、長手方向中心軸５１８を有し、かつ円周方向が閉ざされた貫通チャネル５１６を備えており、円周方向が閉ざされた貫通チャネル５１６は、密封剤５９２を受容し、内部を通して密封剤５９２を流通させるよう構成されている。キャップ操作ツール５００は、（ｉ）シャフト５１０の円周方向が閉ざされた貫通チャネル５１６が、嵌合キャップ３００の入口開口３０６を通じて均一な間隙３０２内へと、密封剤５９２を流通させることが可能になるように、（ｉｉ）排出口３０９が、円周方向が閉ざされた貫通チャネル５１６を通って均一な間隙３０２内へと密封剤５９２が流通する際に、均一な間隙３０２からガスをパージするよう配向されるように、かつ、（ｉｉｉ）密封剤５９２を均一な間隙３０２内に分散させて、ファスナ１００の部分１０６の周囲に成形密封シュラウド５９０を形成するために、嵌合キャップ３００が、シャフト５１０の長手方向中心軸５１８の周りでシャフト５１０と一緒に回転可能になるように、嵌合キャップ３００に連結されるよう構成される。この段落の前述の記載は本開示の例２１を特徴付けるものである。
【００７８】
［００１００］システム５０１は、キャップ操作ツール５００と嵌合キャップ３００とを、ひとまとめに連結されうる別個の構成要素として提供し、同一のキャップ操作ツール５００が多種多様なサイズ及び形状の嵌合キャップ３００と共に使用されることを可能にする。多種多様なサイズ及び形状の嵌合キャップ３００の各々は、対応する１つのサイズ及び種類のファスナ１００と共に使用されるために設計されうることを、理解すべきである。また、嵌合キャップ３００がファスナ１００の部分１０６の上に位置付けられた状態で、嵌合キャップ３００が長手方向中心軸５１８の周りでシャフト５１０と一緒に回転可能であることで、シャフト５１０を単純に一回転させることにより、ファスナ１００の部分１０６の表面全体に、円周方向が閉ざされた貫通チャネル５１６を通じて供給される密封剤５９２を均一に広げることが、容易になる。例えば、嵌合キャップ３００がファスナ１００の部分１０６の上に位置付けられた状態での、長手方向中心軸５１８の周りでのシャフト５１０の回転は、ファスナ１００の部分１０６の周囲に沿って密封剤５９２の分散のバランスを取ること、及び／又は、部分１０６の上で嵌合キャップ３００を動的に心出しすることに、役立つ。加えて、キャップ操作ツール５００の円周方向が閉ざされた貫通チャネル５１６を通じて密封剤５９２が供給される際の、均一な間隙３０２からのガスのパージを容易にし、成形密封シュラウド５９０における気泡又はその他の不具合の形成を抑制するために、入口開口３０６と排出口３０９とが協働する。
【００７９】
［００１０１］図１５を概括的に参照しつつ、例えば図２及び図１６を詳細に参照するに、ファスナ１００は、ファスナ１００の部分１０６が第１部材１０２の基部表面１０３から延在するように第１部材１０２に取り付けられるよう構成されており、嵌合キャップ３００は、基部表面１０３に載るよう構成された、第１キャップ端部３０８を備える。この段落の前述の記載は本開示の例２２を特徴付けるものであり、例２２は上記の例２１による記載も含む。
【００８０】
［００１０２］第１キャップ端部３０８が基部表面１０３に載るよう構成されることにより、嵌合キャップ３００が、密封剤５９２の付着中に第１部材１０２の直上に位置付けられることが可能になり、第１部材１０２に漏れ、こぼれ、又は別途故意でなく付着する密封剤５９２の量が、減少する。
【００８１】
［００１０３］図１５を概括的に参照しつつ、例えば図２及び図１６を詳細に参照するに、均一な間隙３０２の間隙幅３１２は、ファスナ１００の部分１０６における成形済密封シュラウド５９０のシュラウド厚５９４の、既定の許容誤差の範囲内である。この段落の前述の記載は本開示の例２３を特徴付けるものであり、例２３は上記の例２１又は２２による記載も含む。
【００８２】
［００１０４］嵌合キャップ３００のサイズ及び種類の選択により、ファスナ１００の部分１０６におけるシュラウド厚５９４の所定の許容誤差の範囲内の間隙幅３１２がもたらされ、ひいては、ファスナ１００の部分１０６に、正しい厚さの密封剤５９２が付けられることになる。例えば、嵌合キャップ３００は、ファスナ１００の部分１０６と寸法が同一のファスナテンプレート２０２を使用して、上記の例１から２０のいずれか１つにしたがって、事前に形成される。
【００８３】
［００１０５］図１５を概括的に参照しつつ、例えば図２及び図１６を詳細に参照するに、シャフト５１０は、第１シャフト端部５１２と、第１シャフト端部５１２の反対側の第２シャフト端部５１４とを備える。シャフト５１０は、第１シャフト端部５１２から第２シャフト端部５１４まで、長手方向に延在する。キャップ操作装ツール５００は界面ブッシュ（ｉｎｔｅｒｆａｃｅ  ｂｕｓｈｉｎｇ）５５０を更に備え、界面ブッシュ５５０はそれを通る通路５６２を有する。界面ブッシュ５５０は、嵌合キャップ３００がファスナ１００の部分１０６の上に位置付けられた状態で、円周方向が閉ざされた貫通チャネル５１６が、通路５６２、入口開口３０６、及び均一な間隙３０２と流通可能に連結されるように、第２シャフト端部５１４と嵌合キャップ３００との間を連結するよう、構成される。この段落の前述の記載は本開示の例２４を特徴付けるものであり、例２４は、上記の例２１から２３のいずれか１つによる記載も含む。
【００８４】
［００１０６］界面ブッシュ５５０により、シャフト５１０と嵌合キャップ３００との連結が単純化される。様々な例において、界面ブッシュ５５０は、嵌合キャップ３００の稼働寿命を延ばすものでもある。例えば、シャフト５１０は金属材料から作製されることがあるが、金属材料は、嵌合キャップ３００を形成するのに使用される比較的薄いプラスチックを摩耗させることになる。界面ブッシュ５５０は、金属材料との連結に対してより高い耐性を有すると共に嵌合キャップ３００の摩耗を低減させることが可能な、厚型プラスチックから作成されうる。単一のサイズのシャフト５１０を複数のサイズ及び／又は種類の嵌合キャップ３００に適合させることを容易にするために、様々なサイズの界面ブッシュ５５０が提供されることも可能である。
【００８５】
［００１０７］図１５を概括的に参照しつつ、例えば図２及び図１６を詳細に参照するに、嵌合キャップ３００はテーパ界面部３１０を備える。界面ブッシュ５５０は、長手方向中心軸５１８に対して側壁テーパ角度５５８を有する、側壁５５６を備える。界面ブッシュ５５０の側壁５５６は、締まり嵌め（ｉｎｔｅｒｆｅｒｅｎｃｅ  ｆｉｔ）で嵌合キャップ３００のテーパ界面部３１０と連結するよう構成される。この段落の前述の記載は本開示の例２５を特徴付けるものであり、例２５は上記の例２４による記載も含む。
【００８６】
［００１０８］界面ブッシュ５５０のテーパ側壁５５６と嵌合キャップ３００のテーパ界面部３１０との間の締まり嵌めにより、キャップ操作ツール５００と嵌合キャップ３００とを取り外し可能に連結するための、単純かつ有効な構造が提供される。例えば、嵌合キャップ３００のテーパ界面部３１０は、インサート２５０を使用して、上記の例４又は７にしたがって、事前に形成される。
【００８７】
［００１０９］図１５を概括的に参照しつつ、例えば図２及び図１６を詳細に参照するに、嵌合キャップ３００のテーパ界面部３１０は、長手方向中心軸５１８に対してキャップテーパ角度３１１を有する。キャップテーパ角度３１１は、界面ブッシュ５５０の側壁テーパ角度５５８と、少なくとも１０度異なる。この段落の前述の記載は本開示の例２６を特徴付けるものであり、例２６は上記の例２５による記載も含む。
【００８８】
［００１１０］界面ブッシュの側壁５５６の側壁テーパ角度５５８とキャップテーパ角度３１１とが異なっていることで、界面ブッシュ５５０と嵌合キャップ３００が使用中に外れなくなることは少なくなる。
【００８９】
［００１１１］図１５を概括的に参照しつつ、例えば図２及び図１６を詳細に参照するに、界面ブッシュ５５０は、締まり嵌めで第２シャフト端部５１４と連結するよう構成された、スカート部５６０を備える。この段落の前述の記載は本開示の例２７を特徴付けるものであり、例２７は、上記の例２４から２６のいずれか１つによる記載も含む。
【００９０】
［００１１２］界面ブッシュ５５０のスカート部５６０と第２シャフト端部５１４との間の締まり嵌めにより、通路５６２を塞ぐことなくシャフト５１０と界面ブッシュ５５０とを取り外し可能に連結するための、単純かつ有効な構造がもたらされる。
【００９１】
［００１１３］図１５を概括的に参照しつつ、例えば図２及び図１６を詳細に参照するに、キャップ操作ツール５００はハンドル５３０を更に備え、ハンドル５３０は、シャフト５１０に連結されており、かつ、長手方向中心軸５１８の周りでシャフト５１０を回転させるよう可動式である。この段落の前述の記載は本開示の例２８を特徴付けるものであり、例２８は上記の例２１による記載も含む。
【００９２】
［００１１４］ハンドル５３０は、シャフト５１０を回転させて、ファスナ１００の部分１０６に密封剤５９２を均一に広げるために、ユーザによって操作されるよう構成される。
【００９３】
［００１１５］図１５を概括的に参照しつつ、例えば図２及び図１６を詳細に参照するに、シャフト５１０は、第１シャフト端部５１２と、第１シャフト端部５１２の反対側の第２シャフト端部５１４とを備える。シャフト５１０は、第１シャフト端部５１２と第２シャフト端部５１４との間に延在する。ハンドル５３０は、長手方向中心軸５１８の周りでのシャフト５１０の回転運動を引き起こすよう、第１シャフト端部５１２と第２シャフト端部５１４との間で長手方向に平行移動することが可能である。この段落の前述の記載は本開示の例２９を特徴付けるものであり、例２９は上記の例２８による記載も含む。
【００９４】
［００１１６］ユーザは、シャフト５１０を回転させて、ファスナ１００の部分１０６に密封剤５９２を均一に広げるために、ハンドル５３０を長手方向に動かすだけでよい。
【００９５】
［００１１７］図１５を概括的に参照しつつ、例えば図２及び図１６を詳細に参照するに、ハンドル５３０は、シャフト５１０が長手方向中心軸５１８の周りで反対向きの２つの回転方向にそれぞれ非同時に回転可能になるように、第１シャフト端部５１２と第２シャフト端部５１４との間で長手方向に、逆向きの２つの軸方向に非同時に平行移動することが可能である。この段落の前述の記載は本開示の例３０を特徴付けるものであり、例３０は上記の例２９による記載も含む。
【００９６】
［００１１８］ユーザは、シャフト５１０を反対向きの方向（例えば、時計回り方向と反時計回り方向）に進退回転させて、ファスナ１００の部分１０６に密封剤５９２を均一に広げるために、ハンドル５３０を長手方向に上下運動させるだけでよい。様々な例において、反対向きの２つの軸方向は、長手方向中心軸５１８に平行である。
【００９７】
［００１１９］図１５を概括的に参照しつつ、例えば図２及び図１６を詳細に参照するに、キャップ操作ツール５００は、第２シャフト端部５１４に向かうハンドル５３０の長手方向平行移動に応じて、ハンドル５３０を第１シャフト端部５１２に向けて付勢するよう構成された、バイアス要素５８０を更に備える。この段落の前述の記載は本開示の例３１を特徴付けるものであり、例３１は上記の例３０による記載も含む。
【００９８】
［００１２０］ユーザがハンドル５３０を長手方向に動かして、長手方向中心軸５１８の周りでシャフト５１０を一方の回転方向に回転させた後に、バイアス要素５８０は、戻し力を印加することによってユーザを支援する。この戻し力は、ハンドル５３０を反対向きの長手方向に動かして、シャフト５１０を反対向きの回転方向に回転させるのに役立つ。例えば、バイアス要素５８０はコイルバネである。
【００９９】
［００１２１］図１５を概括的に参照しつつ、例えば図２及び図１６を詳細に参照するに、シャフト５１０は、外表面５２２と、外表面５２２上に配置されたらせん溝５２０とを更に備える。ハンドル５３０はカム５３４を備え、カム５３４は、シャフト５１０に沿ったハンドル５３０の長手方向平行移動の動きが長手方向中心軸５１８の周りでのシャフト５１０の回転運動を引き起こすように、らせん溝５２０と協働するよう構成されている。この段落の前述の記載は本開示の例３２を特徴付けるものであり、例３２は、上記の例２８から３１のいずれか１つによる記載も含む。
【０１００】
［００１２２］カム５３４とらせん溝５２０との協働により、ハンドル５３０に行われる長手方向の上下運動が、シャフト５１０の進退回転運動に変換される。
【０１０１】
［００１２３］図１５を概括的に参照しつつ、例えば図２及び図１６を詳細に参照するに、ハンドル５３０は本体５４０を更に備える。本体５４０はハンドルキャビティ５３２を有し、ハンドルキャビティ５３２は、それを通るシャフト５１０を隙間嵌め（ｃｌｅａｒａｎｃｅ  ｆｉｔ）で受容するよう構成されている。カム５３４は、本体５４０からハンドルキャビティ５３２内に突出している。この段落の前述の記載は本開示の例３３を特徴付けるものであり、例３３は上記の例３２による記載も含む。
【０１０２】
［００１２４］ハンドル５３０の本体５４０を通るようにシャフト５１０を受容することで、カム５３４とらせん溝５２０との協働によりハンドル５３０に行われる長手方向の上下運動がシャフト５１０の進退回転運動に変換される際に、シャフト５１０が垂直配向で安定する。
【０１０３】
［００１２５］図１５を概括的に参照しつつ、例えば図２及び図１６を詳細に参照するに、ハンドル５３０は、長手方向中心軸５１８に対してある一定の角度でシャフト５１０から外向きに延在するよう構成された、延在部５３６を更に備える。延在部５３６は、ユーザの手で操作されるよう構成される。この段落の前述の記載は本開示の例３４を特徴付けるものであり、例３４は、上記の例２８から３１のいずれか１つによる記載も含む。
【０１０４】
［００１２６］延在部５３６により、ファスナ１００が限定スペース内に配置されている場合に、ユーザがハンドル５３０を上下に操作してシャフト５１０を回転させることが可能になる。
【０１０５】
［００１２７］図１５を概括的に参照しつつ、例えば図２及び図１６を詳細に参照するに、ハンドル５３０は、本体５４０と接合部５３８とを更に備える。本体５４０はハンドルキャビティ５３２を有し、ハンドルキャビティ５３２は、それを通るシャフト５１０を隙間嵌めで受容するよう構成されている。延在部５３６は、延在部５３６が本体５４０に対して複数の配向の間で可動になるように、接合部５３８において本体５４０に連結される。この段落の前述の記載は本開示の例３５を特徴付けるものであり、例３５は上記の例３４による記載も含む。
【０１０６】
［００１２８］接合部５３８が本体５４０と延在部５３６とを連結していることにより、ファスナ１００が限定スペース内に配置されている場合に、ユーザが手でハンドル５３０を上下に操作してシャフト５１０を回転させることが、更に可能になる。
【０１０７】
［００１２９］図１７を概括的に参照しつつ、例えば図２及び図１８を詳細に参照するに、成形密封シュラウド５９０をファスナ１００の部分１０６に付着させるためのシステム１５０１が開示されている。システム１５０１は、壁部３０５と、壁部３０５によって画定されており、かつ密封剤５９２を内部に受容するよう構成されたキャップキャビティ３０３と、壁部３０５を完全に貫通している放出開口３１６とを備える、嵌合キャップ３００を備える。嵌合キャップ３００は、（ｉ）ファスナ１００の部分１０６がキャップキャビティ３０３の中に受容されるように、（ｉｉ）嵌合キャップ３００の壁部３０５とファスナ１００の部分１０６との間に均一な間隙３０２が形成されるように、かつ、（ｉｉｉ）放出開口３１６が均一な間隙３０２と流通可能に連結されるように、ファスナ１００の部分１０６の上に位置付けられることが可能である。システム１５０１は、シャフト５１０を備えるキャップ操作ツール５００を更に備える。シャフト５１０は、長手方向中心軸５１８を有しており、かつ、円周方向が閉ざされた貫通チャネル５１６を備える。キャップ操作ツール５００は、（ｉ）シャフト５１０の円周方向が閉ざされた貫通チャネル５１６が、嵌合キャップ３００の放出開口３１６と流通可能に連結されるように、かつ、（ｉｉｉ）キャップキャビティ３０３内に既に導入されている密封剤５９２を均一な間隙３０２内に分散させて、ファスナ１００の部分１０６の周囲に成形密封シュラウド５９０を形成するために、嵌合キャップ３００が、シャフト５１０の長手方向中心軸５１８の周りでシャフト５１０と一緒に回転可能になるように、嵌合キャップ３００と連結するよう構成される。放出開口３１６は、均一な間隙３０２からシャフト５１０の円周方向が閉ざされた貫通チャネル５１６内へと、ガスと余分な密封剤５９２の少なくとも一方をパージするよう配向される。この段落の前述の記載は本開示の例３６を特徴付けるものである。
【０１０８】
［００１３０］システム１５０１は、キャップ操作ツール５００と嵌合キャップ３００とを、ひとまとめに連結されうる別個の構成要素として提供し、単一のキャップ操作ツール５００が多種多様なサイズ及び形状の嵌合キャップ３００と共に使用されることを可能にする。多種多様なサイズ及び形状の嵌合キャップ３００の各々は、対応する１つのサイズ及び種類のファスナ１００と共に使用されるために設計されうることを、理解すべきである。また、嵌合キャップ３００がファスナ１００の部分１０６の上に位置付けられた状態で、嵌合キャップ３００が長手方向中心軸５１８の周りでシャフト５１０と一緒に回転可能であることで、シャフト５１０を単純に一回転させることにより、ファスナ１００の部分１０６の表面全体に、円周方向が閉ざされた貫通チャネル５１６を通じて供給される密封剤５９２を均一に広げることが、容易になる。例えば、嵌合キャップ３００がファスナ１００の部分１０６の上に位置付けられた状態での、長手方向中心軸５１８の周りでのシャフト５１０の回転は、ファスナ１００の部分１０６の周囲に沿って密封剤５９２の分散のバランスを取ること、及び／又は、部分１０６の上で嵌合キャップ３００を動的に心出しすることに、役立つ。加えて、均一な間隙３０２からのガス及び／又は余分な密封剤のパージを容易にし、成形密封シュラウド５９０における気泡又はその他の不具合の形成を抑制するために、放出開口３１６とシャフト５１０の円周方向が閉ざされた貫通チャネル５１６とが協働する。
【０１０９】
［００１３１］システム１５０１は多くの点で上述のシステム５０１に類似しており、類似の要素は類似の参照番号で特定されている。システム１５０１がシステム５０１とは異なっている点の１つは、この開示で後述する意図されている用途において、システム１５０１は、システム５０１の意図されている用途においてのように、シャフト５１０を通じて密封剤５９２を供給することによってではなく、最初からキャップキャビティ３０３内ある密封剤５９２を提供することによって、稼働することである。ゆえに、システム１５０１は、入口開口３０６ではなく放出開口３１６を含む。様々な例において、放出開口３１６は、システム１５０１で使用される場合、嵌合キャップ３００の、システム５０１で使用される場合の嵌合キャップ３００の入口開口３０６の場所と同様の位置に、配置される。ファスナ１００上に嵌合キャップ３００を位置付けることによってキャップキャビティ３０３が均一な間隙３０２に圧縮される際に、放出開口３１６は、上述のように、キャップキャビティ３０３からの余分な密封剤及び／又はガスの放出を行う。余分な密封剤及び／又はガスは、放出開口３１６を通って、シャフト５１０の円周方向が閉ざされた貫通チャネル５１６内へと流通しうる。そのため、システム１５０１で使用される嵌合キャップ３００は、排出口３０９を含む必要はない。様々な例において、嵌合キャップ３００から排出口３０９を省略することで、第１部材１０２に漏れ、こぼれ、又は別途故意でなく付着する密封剤５９２の量が、減少する
【０１１０】
［００１３２］図１７を概括的に参照しつつ、例えば図２及び図１８を詳細に参照するに、ファスナ１００は、ファスナ１００の部分１０６が第１部材１０２の基部表面１０３から延在するように第１部材１０２に取り付けられるよう構成されており、嵌合キャップ３００は、基部表面１０３に載るよう構成された、第１キャップ端部３０８を備える。この段落の前述の記載は本開示の例３７を特徴付けるものであり、例３７は上記の例３６による記載も含む。
【０１１１】
［００１３３］第１キャップ端部３０８が基部表面１０３に載るよう構成されることにより、嵌合キャップ３００が、密封剤５９２の付着中に第１部材１０２の直上に位置付けられることが可能になり、第１部材１０２に漏れ、こぼれ、又は別途故意でなく付着する密封剤５９２の量が、減少する。
【０１１２】
［００１３４］図１７を概括的に参照しつつ、例えば図２及び図１８を詳細に参照するに、均一な間隙３０２の間隙幅３１２は、ファスナ１００の部分１０６における成形済密封シュラウド５９０のシュラウド厚５９４の、既定の許容誤差の範囲内である。この段落の前述の記載は本開示の例３８を特徴付けるものであり、例３８は上記の例３６又は３７による記載も含む。
【０１１３】
［００１３５］嵌合キャップ３００のサイズ及び種類の選択により、ファスナ１００の部分１０６におけるシュラウド厚５９４の所定の許容誤差の範囲内の間隙幅３１２がもたらされ、ひいては、ファスナ１００の部分１０６に、正しい厚さの密封剤５９２が付けられることになる。例えば、嵌合キャップ３００は、ファスナ１００の部分１０６と寸法が同一のファスナテンプレート２０２を使用して、上記の例１から２０のいずれか１つにしたがって、事前に形成される。
【０１１４】
［００１３６］図１７を概括的に参照しつつ、例えば図２及び図１８を詳細に参照するに、シャフト５１０は、第１シャフト端部５１２と、第１シャフト端部５１２の反対側の第２シャフト端部５１４とを備える。シャフト５１０は、第１シャフト端部５１２から第２シャフト端部５１４まで、長手方向に延在する。キャップ操作装ツール５００は界面ブッシュ５５０を更に備え、界面ブッシュ５５０はそれを通る通路５６２を有する。界面ブッシュ５５０は、嵌合キャップ３００がファスナ１００の部分１０６の上に位置付けられた状態で、円周方向が閉ざされた貫通チャネル５１６が、通路５６２、放出開口３１６、及び均一な間隙３０２と流通可能に連結されるように、第２シャフト端部５１４と嵌合キャップ３００との間を連結するよう構成される。この段落の前述の記載は本開示の例３９を特徴付けるものであり、例３９は、上記の例３６から３８のいずれか１つによる記載も含む。
【０１１５】
［００１３７］界面ブッシュ５５０により、シャフト５１０と嵌合キャップ３００との連結が単純化される。様々な例において、界面ブッシュ５５０は、嵌合キャップ３００の稼働寿命を延ばすものでもある。例えば、シャフト５１０は金属材料から作製されることがあるが、金属材料は、嵌合キャップ３００を形成するのに使用される比較的薄いプラスチックを摩耗させることになる。界面ブッシュ５５０は、金属材料との連結に対してより高い耐性を有すると共に嵌合キャップ３００の摩耗を低減させることが可能な、厚型プラスチックから作成されうる。単一のサイズのシャフト５１０を複数のサイズ及び／又は種類の嵌合キャップ３００に適合させることを容易にするために、様々なサイズの界面ブッシュ５５０が提供されることも可能である。
【０１１６】
［００１３８］図１７を概括的に参照しつつ、例えば図２及び図１８を詳細に参照するに、嵌合キャップ３００はテーパ界面部３１０を備える。界面ブッシュ５５０は、長手方向中心軸５１８に対して側壁テーパ角度５５８を有する、側壁５５６を備える。界面ブッシュ５５０の側壁５５６は、締まり嵌めで嵌合キャップ３００のテーパ界面部３１０と連結するよう構成される。この段落の前述の記載は本開示の例４０を特徴付けるものであり、例４０は上記の例３９による記載も含む。
【０１１７】
［００１３９］界面ブッシュ５５０の側壁５５６（上述したようにテーパされている）と嵌合キャップ３００のテーパ界面部３１０との間の締まり嵌めにより、キャップ操作ツール５００と嵌合キャップ３００とを取り外し可能に連結するための、単純かつ有効な構造が提供される。本開示の一態様により、嵌合キャップ３００のテーパ界面部３１０は、インサート２５０を使用して、上記の例４又は７にしたがって、事前に形成される。
【０１１８】
［００１４０］図１７を概括的に参照しつつ、例えば図２及び図１８を詳細に参照するに、嵌合キャップ３００のテーパ界面部３１０は、長手方向中心軸５１８に対してキャップテーパ角度３１１を有する。キャップテーパ角度３１１は、界面ブッシュ５５０の側壁テーパ角度５５８と、少なくとも１０度異なる。この段落の前述の記載は本開示の例４１を特徴付けるものであり、例４１は上記の例４０による記載も含む。
【０１１９】
［００１４１］界面ブッシュ５５０の側壁５５６の側壁テーパ角度５５８とキャップテーパ角度３１１とが異なっていることで、界面ブッシュ５５０と嵌合キャップ３００が使用中に外れなくなることは少なくなる。
【０１２０】
［００１４２］図１７を概括的に参照しつつ、例えば図２及び図１８を詳細に参照するに、界面ブッシュ５５０は、締まり嵌めで第２シャフト端部５１４と連結するよう構成された、スカート部５６０を備える。この段落の前述の記載は本開示の例４２を特徴付けるものであり、例４２は、上記の例３９から４１のいずれか１つによる記載も含む。
【０１２１】
［００１４３］界面ブッシュ５５０のスカート部５６０と第２シャフト端部５１４との間の締まり嵌めにより、通路５６２を塞ぐことなくシャフト５１０と界面ブッシュ５５０とを取り外し可能に連結するための、単純かつ有効な構造がもたらされる。
【０１２２】
［００１４４］図１７を概括的に参照しつつ、例えば図２及び図１８を詳細に参照するに、キャップ操作ツール５００はハンドル５３０を更に備え、ハンドル５３０は、シャフト５１０に連結されており、かつ、長手方向中心軸５１８の周りでシャフト５１０を回転させるよう可動式である。この段落の前述の記載は本開示の例４３を特徴付けるものであり、例４３は上記の例３６による記載も含む。
【０１２３】
［００１４５］ハンドル５３０は、シャフト５１０を回転させて、ファスナ１００の部分１０６に密封剤５９２を均一に広げるために、ユーザによって操作されるよう構成される。
【０１２４】
［００１４６］図１７を概括的に参照しつつ、例えば図２及び図１８を詳細に参照するに、シャフト５１０は、第１シャフト端部５１２と、第１シャフト端部５１２の反対側の第２シャフト端部５１４とを備える。シャフト５１０は、第１シャフト端部５１２と第２シャフト端部５１４との間に延在する。ハンドル５３０は、長手方向中心軸５１８の周りでのシャフト５１０の回転運動を引き起こすよう、第１シャフト端部５１２と第２シャフト端部５１４との間で長手方向に平行移動することが可能である。この段落の前述の記載は本開示の例４４を特徴付けるものであり、例４４は上記の例４３による記載も含む。
【０１２５】
［００１４７］ユーザは、シャフト５１０を回転させて、ファスナ１００の部分１０６に密封剤５９２を均一に広げるために、ハンドル５３０を長手方向に動かすだけでよい。
【０１２６】
［００１４８］図１７を概括的に参照しつつ、例えば図２及び図１８を詳細に参照するに、ハンドル５３０は、シャフト５１０が長手方向中心軸５１８の周りで反対向きの２つの回転方向にそれぞれ非同時に回転可能になるように、第１シャフト端部５１２と第２シャフト端部５１４との間で長手方向に、逆向きの２つの軸方向に非同時に平行移動することが可能である。この段落の前述の記載は本開示の例４５を特徴付けるものであり、例４５は上記の例４４による記載も含む。
【０１２７】
［００１４９］ユーザは、シャフト５１０を反対向きの方向（例えば、時計回り方向と反時計回り方向）に進退回転させて、ファスナ１００の部分１０６に密封剤５９２を均一に広げるために、ハンドル５３０を長手方向に上下運動させるだけでよい。様々な例において、反対向きの２つの軸方向は、長手方向中心軸５１８に平行である。
【０１２８】
［００１５０］図１７を概括的に参照しつつ、例えば図２及び図１８を詳細に参照するに、キャップ操作ツール５００は、第２シャフト端部５１４に向かうハンドル５３０の長手方向平行移動に応じて、ハンドル５３０を第１シャフト端部５１２に向けて付勢するよう構成された、バイアス要素５８０を更に備える。この段落の前述の記載は本開示の例４６を特徴付けるものであり、例４６は上記の例４５による記載も含む。
【０１２９】
［００１５１］ユーザがハンドル５３０を長手方向に動かして、長手方向中心軸５１８の周りでシャフト５１０を一方の回転方向に回転させた後に、バイアス要素５８０は、戻し力を印加することによってユーザを支援する。この戻し力は、ハンドル５３０を反対向きの長手方向に動かして、シャフト５１０を反対向きの回転方向に回転させるのに役立つ。例えば、バイアス要素５８０はコイルバネである。
【０１３０】
［００１５２］図１７を概括的に参照しつつ、例えば図２及び図１８を詳細に参照するに、シャフト５１０は、外表面５２２と、外表面５２２上に配置されたらせん溝５２０とを更に備える。ハンドル５３０はカム５３４を備え、カム５３４は、シャフト５１０に沿ったハンドル５３０の長手方向平行移動の動きが長手方向中心軸５１８の周りでのシャフト５１０の回転運動を引き起こすように、らせん溝５２０と協働するよう構成されている。この段落の前述の記載は本開示の例４７を特徴付けるものであり、例４７は、上記の例４３から４６のいずれか１つによる記載も含む。
【０１３１】
［００１５３］カム５３４とらせん溝５２０との協働により、ハンドル５３０に行われる長手方向の上下運動が、シャフト５１０の進退回転運動に変換される。
【０１３２】
［００１５４］図１７を概括的に参照しつつ、例えば図２及び図１８を詳細に参照するに、ハンドル５３０は本体５４０を更に備える。本体５４０はハンドルキャビティ５３２を有し、ハンドルキャビティ５３２は、それを通るシャフト５１０を隙間嵌めで受容するよう構成されている。カム５３４は、本体５４０からハンドルキャビティ５３２内に突出している。この段落の前述の記載は本開示の例４８を特徴付けるものであり、例４８は上記の例４７による記載も含む。
【０１３３】
［００１５５］ハンドル５３０の本体５４０を通るようにシャフト５１０を受容することで、カム５３４とらせん溝５２０との協働によりハンドル５３０に行われる長手方向の上下運動がシャフト５１０の進退回転運動に変換される際に、シャフト５１０が垂直配向で安定する。
【０１３４】
［００１５６］図１７を概括的に参照しつつ、例えば図２及び図１８を詳細に参照するに、ハンドル５３０は、長手方向中心軸５１８に対してある一定の角度でシャフト５１０から外向きに延在するよう構成された、延在部５３６を更に備える。延在部５３６は、ユーザの手で操作されるよう構成される。この段落の前述の記載は本開示の例４９を特徴付けるものであり、例４９は、上記の例４３から４６のいずれか１つによる記載も含む。
【０１３５】
［００１５７］延在部５３６により、ファスナ１００が限定スペース内に配置されている場合に、ユーザがハンドル５３０を上下に操作してシャフト５１０を回転させることが可能になる。
【０１３６】
［００１５８］図１７を概括的に参照しつつ、例えば図２及び図１８を詳細に参照するに、ハンドル５３０は、本体５４０と接合部５３８とを更に備える。本体５４０はハンドルキャビティ５３２を有し、ハンドルキャビティ５３２は、それを通るシャフト５１０を隙間嵌めで受容するよう構成されている。延在部５３６は、延在部５３６が本体５４０に対して複数の配向の間で可動になるように、接合部５３８において本体５４０に連結される。この段落の前述の記載は本開示の例５０を特徴付けるものであり、例５０は上記の例４９による記載も含む。
【０１３７】
［００１５９］接合部５３８が本体５４０と延在部５３６とを連結していることにより、ファスナ１００が限定スペース内に配置されている場合に、ユーザが手でハンドル５３０を上下に操作してシャフト５１０を回転させることが、更に可能になる。
【０１３８】
［００１６０］図１から３を概括的に参照しつつ、例えば図１９Ａ、１９Ｂ、１９Ｃ、及び１９Ｄを詳細に参照するに、嵌合キャップ３００を作製するための方法１９００が開示されている。嵌合キャップ３００は、ファスナ１００の部分１０６に成形密封シュラウド５９０を付着させるよう構成される。方法１９００は、先行キャップ３２０でファスナテンプレート２０２を覆うこと（ブロック１９０２）を含む。ファスナテンプレート２０２は、支持プレート２１０の第１の側２１６から延在する。支持プレート２１０は、第１の側２１６の反対側の第２の側２１８と、支持プレート２１０を第１の側２１６から第２の側２１８まで貫通しており、かつファスナテンプレート２０２の周りに配置されている、第１の複数の貫通開口２１２とを備える。先行キャップ３２０は、ファスナテンプレート２０２の形状寸法を補完する第１表面３２２と、第１表面３２２の反対側の、第１表面３２２に平行な第２表面３２４とを備える。ファスナテンプレート２０２は、ファスナ１００の部分１０６と寸法が同一である。方法１９００は、第１ポリマーシート２７０を特定の温度まで加熱すること（ブロック１９０４）と、支持プレート２１０の第１の側２１６から所定の距離２０５のところに位置付けられ、かつ特定の温度まで加熱された第１ポリマーシート２７０を、先行キャップ３２０の上に真空形成するために、支持プレート２１０の第２の側２１８から第１の複数の貫通開口２１２を通じて第１ポリマーシート２７０に吸引を行うこと（ブロック１９０６）とを、更に含む。先行キャップ３２０の上に第１ポリマーシート２７０を真空形成した後に、第１ポリマーシート２７０の少なくとも一部分は嵌合キャップ３００を形成し、嵌合キャップ３００の第１内表面３４２が先行キャップ３２０の第２表面３２４の形状寸法を補完する。この段落の前述の記載は本開示の例５１を特徴付けるものである。
【０１３９】
［００１６１］先行キャップ３２０の第２表面３２４の形状寸法を補完する、形成された嵌合キャップ３００は、先行キャップ３２０の第１表面３２２に平行になるので、ファスナテンプレート２０２の形状寸法を補完することになる。この嵌合キャップ３００により、嵌合キャップ３００と、ファスナ１００の嵌合キャップ３００がファスナ１００の上に位置付けられている部分１０６との間に、均一な間隙３０２が作り出される。ゆえに、嵌合キャップ３００は、例えば手作業による密封剤５９２のブラシ塗布と比較して、ファスナ１００の部分１０６の上に密封剤５９２を連続的かつ均一に付着させることを容易にする。
【０１４０】
［００１６２］図１及び１１を概括的に参照しつつ、例えば図１９Ａ、１９Ｂ、１９Ｃ、及び１９Ｄを詳細に参照するに、方法１９００は、先行キャップ３２０と第１ポリマーシート２７０の少なくとも一方に剥離剤３８２を塗布すること（ブロック１９０８）を更に含む。剥離剤３８２は、先行キャップ３２０の上に第１ポリマーシート２７０を真空形成するために第１ポリマーシート２７０に吸引を行うこと（ブロック１９０６）の後の、嵌合キャップ３００の先行キャップ３２０からの分離を容易にするよう、構成される。この段落の前述の記載は本開示の例５２を特徴付けるものであり、例５２は上記の例５１による記載も含む。
【０１４１】
［００１６３］剥離剤３８２は、真空形成中及び真空成形後に第１ポリマーシート２７０と先行キャップ３２０との接着を抑制する、流れる又は広がることが可能な組成物である。様々な例において、剥離剤３８２は、剥離シート３８０よりも付けるのが容易である。
【０１４２】
［００１６４］図１、図９、及び図１０を概括的に参照しつつ、例えば図１９Ａ、１９Ｂ、１９Ｃ、及び１９Ｄを詳細に参照するに、方法１９００は、先行キャップ３２０でファスナテンプレート２０２を覆う前に、先行キャップ３２０を形成すること（ブロック１９１０）を更に含む。この段落の前述の記載は本開示の例５３を特徴付けるものであり、例５３は上記の例５１又は５２による記載も含む。
【０１４３】
［００１６５］嵌合キャップ３００を作製する方法１９００の一部として先行キャップ３２０を形成することにより、嵌合キャップ３００を作製するプロセスを効率化すること、及び、成形密封シュラウド５９０でコーティングされることが意図されているファスナ１００のサイズ及び種類に対応する嵌合キャップ３００を製造するよう、先行キャップ３２０が適切に成形されることを確実にすることが、容易になる。
【０１４４】
［００１６６］図１、図９、及び図１０を概括的に参照しつつ、例えば図１９Ａ、１９Ｂ、１９Ｃ、及び１９Ｄを詳細に参照するに、方法１９００により、先行キャップ３２０を形成すること（ブロック１９１０）は、第２ポリマーシート２２０を第２の特定の温度まで加熱すること（ブロック１９１２）と、支持プレート２１０の第１の側２１６から第２の所定の距離２０７のところに位置付けられ、かつ第２の特定の温度まで加熱された第２ポリマーシート２２０を、ファスナテンプレート２０２の上に真空形成するために、支持プレート２１０の第２の側２１８から第１の複数の貫通開口２１２を通じて第２ポリマーシート２２０に吸引を行うこと（ブロック１９１４）とを、含む。ファスナテンプレート２０２の上に第２ポリマーシート２２０を真空形成した後に、第２ポリマーシート２２０の少なくとも一部分は、先行キャップ３２０を形成する。この段落の前述の記載は本開示の例５４を特徴付けるものであり、例５４は上記の例５３による記載も含む。
【０１４５】
［００１６７］第２ポリマーシート２２０から先行キャップ３２０を形成することで、例えば第１手段２１７、第２手段２１９、及び支持プレート２１０（これらは後に、先行キャップ３２０の上に嵌合キャップ３００を形成するためにも使用される）を使用して、先行キャップ３２０をファスナテンプレート２０２にぴったり合わせること（ｆｏｒｍ−ｆｉｔｔｉｎｇ）が容易になり、先行キャップ３２０を使用して嵌合キャップ３００を作製するプロセスが単純化される。
【０１４６】
［００１６８］様々な例において、第２ポリマーシート２２０は、例えば第１手段２１７により熱が加えられる前には、実質的に平らな配向で提供され、その周縁部に沿って保持されているが、第２の特定の温度に近づくにつれて、その中央部分が周縁部に対して下向きに垂れ下がる傾向がある。所定の距離２０７とは、第２ポリマーシート２２０の保持されている周縁部と、支持プレート２１０の第１の側２１６との間の距離を表わすものである。
【０１４７】
［００１６９］また、様々な例において、所定の距離２０７とは、第２ポリマーシート２２０と支持プレート２１０の第１の側２１６との間の距離の範囲であって、例えば吸引を行うための第２手段２１９が、上述のように、先行キャップ２０２の上に第２ポリマーシート２２０を有効に真空形成する、距離の範囲を包含する。
【０１４８】
［００１７０］様々な例において、第２ポリマーシート２２０は熱可塑性材料を含む。様々な例において、第２ポリマーシート２２０は、０．０２０インチ〜０．０６０インチの範囲内の厚さを有する。あるいは、第２ポリマーシート２２０は、先行キャップ３２０が本書に記載しているように形成されることを可能にする、任意の好適な厚さを有する。
【０１４９】
［００１７１］様々な例において、上述のフレーム２４０は、特に、例えば第１手段２１７による加熱中、及びその後の、第２ポリマーシート２２０が加熱されてプラスチックになった状態の時に、第２ポリマーシート２２０を取り扱うこと及び位置付けることを容易にするために、第２ポリマーシート２２０にも連結される。
【０１５０】
［００１７２］図１、図９、及び図１０を概括的に参照しつつ、例えば図１９Ａ、１９Ｂ、１９Ｃ、及び１９Ｄを詳細に参照するに、方法１９００により、ファスナテンプレート２０２の上で第２ポリマーシート２２０を真空形成するために吸引を行うこと（ブロック１９１４）は、第２ポリマーシート２２０の第２シート厚２２６と等しい先行キャップ厚３２６を有する、先行キャップ３２０を形成すること（ブロック１９１６）を更に含む。この段落の前述の記載は本開示の例５５を特徴付けるものであり、例５５は上記の例５４による記載も含む。
【０１５１】
［００１７３］先行キャップ３２０が第２ポリマーシート２２０から形成されることにより、先行キャップ厚３２６は第２シート厚２２６に対応することになる。嵌合キャップ３００は、先行キャップ３２０の上に真空形成されるので、第２シート厚２２６の分だけ、ファスナテンプレート２０２からオフセットすることになる。ゆえに、様々な例において、第２ポリマーシート２２０の第２シート厚２２６は、成形密封シュラウド５９０のシュラウド厚５９４の既定の許容誤差範囲内になるよう、選択される。
【０１５２】
［００１７４］図１、図２、図１０、及び図１２を概括的に参照しつつ、例えば図１９Ａ、１９Ｂ、１９Ｃ、及び１９Ｄを詳細に参照するに、方法１９００は、成形密封シュラウド５９０のシュラウド厚５９４の既定の許容誤差範囲内におさまるように、先行キャップ厚３２６を事前選択すること（ブロック１９１８）を更に含む。この段落の前述の記載は本開示の例５６を特徴付けるものであり、例５６は上記の例５５による記載も含む。
【０１５３】
［００１７５］嵌合キャップ３００が形成され、先行キャップ３２０から分離され、ファスナテンプレート２０２と寸法が同一のファスナ１００の上に位置付けられた後には、嵌合キャップ３００とファスナ１００の部分１０６との間の均一な間隙３０２の間隙幅３１２も、第２シート厚２２６に対応することになるので、意図された通りに、成形密封シュラウド５９０のシュラウド厚５９４の既定の許容誤差範囲内になる。
【０１５４】
［００１７６］図１及び図１０を概括的に参照しつつ、例えば図１９Ａ、１９Ｂ、１９Ｃ、及び１９Ｄを詳細に参照するに、方法１９００は、ファスナテンプレート２０２の上で第２ポリマーシート２２０を真空形成するために吸引を行うこと（ブロック１９１４）の後に、第２ポリマーシート２２０の第２シート外周部２３２に第２の複数の貫通開口２３０を形成すること（ブロック１９２０）を更に含む。第２シート外周部２３２は、支持プレート２１０の第１の側２１６に接触する。第２の複数の貫通開口２３０は、支持プレート２１０を貫通している第１の複数の貫通開口２１２と、位置が合っており、かつ流通可能に連結されている。この段落の前述の記載は本開示の例５７を特徴付けるものであり、例５７は上記の例５４による記載も含む。
【０１５５】
［００１７７］様々な例において、先行キャップ３２０が第２ポリマーシート２２０から形成された後の、嵌合キャップ３００が先行キャップ３２０の上に真空形成されている間、第２ポリマーシート２２０第２シート外周部２３２は、支持プレート２１０の第１の側２１６に残っている。第２シート外周部２３２における第２の複数の貫通開口２３０により、先行キャップ３２０の上に第１ポリマーシート２７０を真空形成するために、支持プレート２１０の第２の側２１８から第１の複数の貫通開口２１２を通じて吸引を行うことが容易になる。例えば、第２の複数の貫通開口２３０は、第２シート外周部２３２が、支持プレート２１０の第１の側２１６の第１の複数の貫通開口２１２の上に位置付けられている間に、第２シート外周部２３２に対して穿孔ツール（図示せず）を使用して１つずつ、第２シート外周部２３２に形成される。別の例では、第２の複数の貫通開口２３０は、第２シート外周部２３２が、支持プレート２１０の第１の側２１６の第１の複数の貫通開口２１２の上に位置付けられている間に、第２シート外周部２３２に対して、第１の複数の貫通開口２１２同士の間隔に一致するよう離間した複数の穿孔器を有する冶具（図示せず）を使用して、同時に、第２シート外周部２３２に形成される。あるいは、第２シート外周部２３２は、嵌合キャップ３００が先行キャップ３２０の上に真空形成される前に、先行キャップ３２０から切り取られ、支持プレート２１０から除去される。
【０１５６】
［００１７８］図１、図９、及び図１２を概括的に参照しつつ、例えば図１９Ａ、１９Ｂ、１９Ｃ、及び１９Ｄを詳細に参照するに、方法１９００により、先行キャップ３２０を形成すること（ブロック１９１０）は、第２ポリマーシート２２０を第２の特定の温度まで加熱すること（ブロック１９２２）と、支持プレート２１０の第１の側２１６から第２の所定の距離２０７のところに位置付けられ、かつ第２の特定の温度まで加熱された第２ポリマーシート２２０を、ファスナテンプレート２０２の上に真空形成するために、支持プレート２１０の第２の側２１８から第１の複数の貫通開口２１２を通じて第２ポリマーシート２２０に吸引を行うこと（ブロック１９２４）と、ファスナテンプレート２０２及び第２ポリマーシート２２０の上に剥離シート３８０を真空形成するために、支持プレート２１０の第２の側２１８から第１の複数の貫通開口２１２を通じて剥離シート３８０に吸引を行うこと（ブロック１９２６）とを、含む。ファスナテンプレート２０２の上に剥離シート３８０を真空形成した後に、第２ポリマーシート２２０の少なくとも一部分と剥離シート３８０の少なくとも一部分が、は先行キャップ３２０を形成する。先行キャップ厚３２６は、第２ポリマーシート２２０の第２シート厚２２６と剥離シート３８０の剥離シート厚３８６との和に対応する。この段落の前述の記載は本開示の例５８を特徴付けるものであり、例５８は上記の例５３による記載も含む。
【０１５７】
［００１７９］剥離シート３８０は、真空形成中及び真空形成後の第１ポリマーシート２７０と先行キャップ３２０との接着を抑制し、かつ、嵌合キャップ３００上の流れる／広がることが可能な剥離剤３８２に関連しうる残留物の堆積を回避する、固体シートである。一例では、先行キャップ３２０は、第２シート厚２２６を有する第２ポリマーシート２２０、及び剥離シート厚３８６を有する剥離シート３８０から、形成される。したがって、先行キャップ３２０は、第２シート厚２２６と剥離シート厚３８６との和である、先行キャップ厚３２６を有する。例えば、剥離シート３８０は、フッ化エチレンプロピレン（ＦＥＰ）から形成される。
【０１５８】
［００１８０］図１、図９、及び図１２を概括的に参照しつつ、例えば図１９Ａ、１９Ｂ、１９Ｃ、及び１９Ｄを詳細に参照するに、方法１９００は、第２ポリマーシート２２０の第２シート外周部２３２に第２の複数の貫通開口２３０を形成すること（ブロック１９２８）と、剥離シート３８０の剥離シート外周部３９２に第３の複数の貫通開口３９０を形成すること（ブロック１９３０）とを、更に含む。第２シート外周部２３２は支持プレート２１０の第１の側２１６に接触し、剥離シート外周部３９２は第２シート外周部２３２に接触する。第２ポリマーシート２２０の第２の複数の貫通開口２３０、及び剥離シート３８０の第３の複数の貫通開口３９０は、支持プレート２１０を貫通している第１の複数の貫通開口２１２と、位置が合っており、かつ流通可能に連結されている。この段落の前述の記載は本開示の例５９を特徴付けるものであり、例５９は上記の例５８による記載も含む。
【０１５９】
［００１８１］様々な例において、第２ポリマーシート２２０がファスナテンプレート２０２の上に真空形成された後の、剥離シート３８０が、第２ポリマーシート２２０のファスナテンプレート２０２を覆っている部分の上に真空形成されている間、第２ポリマーシート２２０の第２シート外周部２３２は、支持プレート２１０の第１の側２１６に残っている。第２シート外周部２３２における第２の複数の貫通開口２３０により、第２ポリマーシート２２０のファスナテンプレート２０２を覆っている部分の上に剥離シート３８０を真空形成するために、支持プレート２１０の第２の側２１８から第１の複数の貫通開口２１２を通じて吸引を行うことが容易になる。同様に、剥離シート３８０が、第２ポリマーシート２２０のファスナテンプレート２０２を覆っている部分の上に真空形成されている間、剥離シート３８０の剥離シート外周部３９２は、支持プレート２１０の第１の側２１６に残っている第２シート外周部２３２上に、残っている。剥離シート外周部３９２における第３の複数の貫通開口３９０により、先行キャップ３２０の上に嵌合キャップ３００を真空形成するために、支持プレート２１０の第２の側２１８から第１の複数の貫通開口２１２を通じて吸引を行うことが容易になる。例えば、第２の複数の貫通開口２３０及び／又は第３の複数の貫通開口３９０は、上述のように、穿孔ツール（図示せず）又は冶具（図示せず）を使用して形成される。
【０１６０】
［００１８２］図１、図１３、及び図１４を概括的に参照しつつ、例えば図１９Ａ、１９Ｂ、１９Ｃ、及び１９Ｄを詳細に参照するに、方法１９００は、先行キャップ３２０の上に第１ポリマーシート２７０を真空形成すること（ブロック１９０６）の後に、嵌合キャップ３００から第１ポリマーシート２７０の第１シート外周部２８２を切断すること（ブロック１９３２）を更に含む。第１シート外周部２８２は、支持プレート２１０の第１の側２１６に平行であり、かつ、ファスナテンプレート２０２の周囲を取り巻くように位置付けられる。この段落の前述の記載は本開示の例６０を特徴付けるものであり、例６０は上記の例５１による記載も含む。
【０１６１】
［００１８３］嵌合キャップ３００から第１ポリマーシート２７０の第１シート外周部２８２を切断することにより、嵌合キャップ３００の取り扱い及び保管を簡素化することが容易になる。
【０１６２】
［００１８４］図１、図３、図１３、及び図１４を概括的に参照しつつ、例えば図１９Ａ、１９Ｂ、１９Ｃ、及び１９Ｄを詳細に参照するに、方法１９００により、先行キャップ３２０でファスナテンプレート２０２を覆うこと（ブロック１９０２）は、先行キャップ３２０で、支持プレート２１０の第１の側２１６とファスナテンプレート２０２との間に連結されたスペーサ２８０を覆うこと（ブロック１９３４）を更に含む。スペーサ２８０は、（ｉ）先行キャップ厚３２６と、（ｉｉ）第１ポリマーシート２７０の第１シート厚２７６と先行キャップ厚３２６との和、の一方に対応している、スペーサ厚２８６を有する。この段落の前述の記載は本開示の例６１を特徴付けるものであり、例６１は上記の例６０による記載も含む。
【０１６３】
［００１８５］様々な例において、フランジ３４０が、先行キャップ３２０から延在しており、かつ、嵌合キャップ３００の第１キャップ端部３０８と支持プレート２１０の第１の側２１６との間に挟持される。フランジ３４０は、嵌合キャップ３００を、嵌合キャップ３００とファスナ１００の部分１０６との垂直方向の位置合わせと比較して、ファスナテンプレート２０２に対して垂直方向にオフセットさせる傾向がある。スペーサ２８０は、フランジ３４０によって作り出されたこの垂直方向オフセットを補正するよう、サイズ設定される。ゆえに、嵌合キャップ３００の形成中に、スペーサ２８０によって、嵌合キャップ３００を、ファスナ１００が取り付けられる基部表面１０３に接して第１キャップ端部３０８が位置付けられた状態で嵌合キャップ３００の第１内表面３４２とファスナ１００の部分１０６との間に均一な間隙３０２が正確に形成されるように、ファスナ１００の部分１０６の上に位置付けられることが可能になるよう、形成することが容易になる。あるいは、フランジ３４０は、嵌合キャップ３００が先行キャップ３２０の上に真空形成される前に、先行キャップ３２０から切り取られる。
【０１６４】
［００１８６］図１、図３、及び図１３を概括的に参照しつつ、例えば図１９Ａ、１９Ｂ、１９Ｃ、及び１９Ｄを詳細に参照するに、方法１９００により、スペーサ厚２８６は先行キャップ厚３２６に対応しており、嵌合キャップ３００から第１ポリマーシート２７０の第１シート外周部２８２を切断すること（ブロック１９３２）により、支持プレート２１０の第１の側２１６に対して垂直に配向されており、かつファスナテンプレート２０２の中心軸２０４の周りに円周方向に延在している分離面２８３に沿って、嵌合キャップ３００から第１ポリマーシート２７０の第１シート外周部２８２を分離させること（ブロック１９３６）が生じる。この段落の前述の記載は本開示の例６２を特徴付けるものであり、例６２は上記の例６１による記載も含む。
【０１６５】
［００１８７］第１の側２１６に対して垂直に配向された分離面２８３に沿って第１ポリマーシート２７０の第１シート外周部２８２を切断することは、スペーサ厚２８６が先行キャップ厚３２６に対応していることと相まって、嵌合キャップ３００を、ファスナ１００の部分１０６の上に位置付けられることが可能になるよう形成することを容易にする。これにより、嵌合キャップ３００の第１キャップ端部３０８がファスナ１００が取り付けられる基部表面１０３に接して位置付けられた状態で、壁部３０５とファスナ１００の部分１０６との間に均一な間隙３０２が形成される。
【０１６６】
［００１８８］図１、図３、及び図１４を概括的に参照しつつ、例えば図１９Ａ、１９Ｂ、１９Ｃ、及び１９Ｄを詳細に参照するに、方法１９００により、スペーサ厚２８６は第１シート厚２７６と先行キャップ厚３２６との和に対応しており、嵌合キャップ３００から第１ポリマーシート２７０の第１シート外周部２８２を切断すること（ブロック１９３２）により、支持プレート２１０の第１の側２１６に平行に配向されており、かつファスナテンプレート２０２の中心軸２０４の周りに円周方向に延在している分離面２８５に沿って、嵌合キャップ３００から第１ポリマーシート２７０の第１シート外周部２８２を分離させること（ブロック１９３８）が生じる。この段落の前述の記載は本開示の例６３を特徴付けるものであり、例６３は上記の例６１による記載も含む。
【０１６７】
［００１８９］第１の側２１６に対して平行に配向された分離面２８５に沿って第１ポリマーシート２７０の第１シート外周部２８２を切断することは、スペーサ厚２８６が第１シート厚２７６と先行キャップ厚３２６との和に対応していることと相まって、嵌合キャップ３００を、ファスナ１００の部分１０６の上に位置付けられることが可能になるよう形成することを容易にする。これにより、嵌合キャップ３００の第１キャップ端部３０８がファスナ１００が取り付けられる基部表面１０３に接して位置付けられた状態で、壁部３０５とファスナ１００の部分１０６との間に均一な間隙３０２が形成される。
【０１６８】
［００１９０］図１及び図３を概括的に参照しつつ、例えば図１９Ａ、１９Ｂ、１９Ｃ、及び１９Ｄを詳細に参照するに、方法１９００により、ファスナテンプレート２０２は、ファスナテンプレート２０２の中心軸２０４の周りに円周方向に延在する、ファスナテンプレート外表面２０３を備える。加えて、方法１９００により、第１ポリマーシート２７０に吸引を行うこと（ブロック１９０６）は、嵌合キャップ３００の第１内表面３４２がファスナテンプレート外表面２０３に平行になるように、第１ポリマーシート２７０を真空形成すること（ブロック１９４０）を更に含む。この段落の前述の記載は本開示の例６４を特徴付けるものであり、例６４は上記の例５１による記載も含む。
【０１６９】
［００１９１］ファスナテンプレート外表面２０３がファスナテンプレート２０２の中心軸２０４の周りに円周方向に延在していることで、ファスナ１００の代わりになるファスナテンプレート２０２が、中心軸に沿った細長い形状を有する（例えばボルト・ナット型又はリベット型のファスナ）ことが容易になる。
【０１７０】
［００１９２］図１から図４を概括的に参照しつつ、例えば図１９Ａ、１９Ｂ、１９Ｃ、及び１９Ｄを詳細に参照するに、方法１９００は、先行キャップ３２０でインサート２５０の少なくとも一部分を覆うこと（ブロック１９４２）を更に含む。インサート２５０は、支持プレート２１０の第１の側２１６から遠ざかるように延在する。先行キャップ３２０は、第１表面３２２と連続しており、かつインサート２５０の形状寸法を補完する第３表面３２３と、第３表面３２３の反対側の第２表面３２４と連続しており、かつ第３表面３２３と平行な第４表面３２５とを、更に備える。加えて、方法１９００により、第１ポリマーシート２７０に吸引を行うこと（ブロック１９０６）は、嵌合キャップ３００の第２内表面３４３が先行キャップ３２０の第４表面３２５の形状寸法を補完するように、第１ポリマーシート２７０を真空形成すること（ブロック１９４４）を更に含む。嵌合キャップ３００の第２内表面３４３は、嵌合キャップ３００の第１内表面３４２と連続している。この段落の前述の記載は本開示の例６５を特徴付けるものであり、例６５は上記の例５１による記載も含む。
【０１７１】
［００１９３］先行キャップ３２０の別々の部分が、ファスナテンプレート２０２とインサート２５０にそれぞれ適合するように、インサート２５０は、少なくとも部分的に、先行キャップ３２０の下に位置付けられる。嵌合キャップ３００は先行キャップ３２０に接して真空形成されるので、インサート２５０によって、嵌合キャップ３００の別々の部分もそれぞれ、ファスナテンプレート２０２とインサート２５０に平行になり、かつファスナテンプレート２０２とインサート２５０からオフセットすることになる。換言すると、インサート２５０により、嵌合キャップ３００の一部分の形状が、ファスナ１００の部分１０６以外の要素に対応することになる。例えば、インサート２５０により、嵌合キャップ３００の一部分が、上述したキャップ操作ツール５００と協働するよう、成形されることになる。ゆえに、嵌合キャップ３００は、ファスナ１００の部分１０６の上に均一な間隙３０２を形成することと、上述した別のシステム５０１及び／又は１５０１の要素と協働することの両方のために、一体的に形成される。
【０１７２】
［００１９４］図１から図４を概括的に参照しつつ、例えば図１９Ａ、１９Ｂ、１９Ｃ、及び１９Ｄを詳細に参照するに、方法１９００により、先行キャップ３２０でインサート２５０の少なくとも一部分を覆うこと（ブロック１９４２）は、先行キャップ３２０でインサート２５０のテーパ部２５２を覆うこと（ブロック１９４６）を含む。テーパ部２５２のテーパの方向は、ファスナテンプレート２０２の中心軸２０４に平行に配向される。この段落の前述の記載は本開示の例６６を特徴付けるものであり、例６６は上記の例６５による記載も含む。
【０１７３】
［００１９５］テーパ部２５２により、嵌合キャップ３００が、上述したキャップ操作ツール５００と連動するよう嵌合キャップ３００に組み込まれているテーパ界面部３１０と一体的に形成されることが、容易になる。
【０１７４】
［００１９６］図１から図４を概括的に参照しつつ、例えば図１９Ａ、１９Ｂ、１９Ｃ、及び１９Ｄを詳細に参照するに、方法１９００により、先行キャップ３２０でインサート２５０の少なくとも一部分を覆うこと（ブロック１９４２）は、インサート２５０の穿孔部材２５４で、先行キャップ３２０を第３表面３２３から第４表面３２５まで貫通すること（ブロック１９４８）を含む。穿孔部材２５４は、ファスナテンプレート２０２の中心軸２０４に平行に配向される。この段落の前述の記載は本開示の例６７を特徴付けるものであり、例６７は上記の例６５による記載も含む。
【０１７５】
［００１９７］穿孔部材２５４により、嵌合キャップ３００を、例えば、上述したように、キャップ操作ツール５００から密封剤を受容するために嵌合キャップ３００に組み込まれている入口開口３０６と、又は、上述したように、嵌合キャップ３００からキャップ操作ツール５００内へと密封剤５９２を排出するために嵌合キャップ３００に組み込まれている放出開口３１６と、一体式に形成することが容易になる。あるいは、入口開口３０６又は放出開口３１６は、嵌合キャップ３００を形成する初期プロセスの後に、別途付与される。
【０１７６】
［００１９８］図１から図３、及び図５を概括的に参照しつつ、例えば１９Ａ、１９Ｂ、１９Ｃ、及び１９Ｄを詳細に参照するに、方法１９００は、先行キャップ３２０がファスナテンプレート２０２とインサート２５０との間に来るようにインサート２５０を位置付けること（ブロック１９５０）を更に含む。インサート２５０は、支持プレート２１０の第１の側２１６から遠ざかるように延在する。加えて、方法１９００により、第１ポリマーシート２７０に吸引を行うこと（ブロック１９０６）は、嵌合キャップ３００の第２内表面３４３がインサート２５０のインサート外表面２５３の形状寸法を補完するように、第１ポリマーシート２７０を真空形成すること（ブロック１９５２）を更に含む。嵌合キャップ３００の第２内表面３４３は、嵌合キャップ３００の第１内表面３４２と連続している。この段落の前述の記載は本開示の例６８を特徴付けるものであり、例６８は上記の例５１による記載も含む。
【０１７７】
［００１９９］インサート２５０は、嵌合キャップ３００の別々の部分が先行キャップ３２０とインサート２５０にそれぞれ適合するように、先行キャップ３２０の外部（例えば直上）に位置付けられる。先行キャップ３２０はファスナテンプレート２０２の形状寸法を補完する第１表面３２２を備えるので、インサート２５０によって、嵌合キャップ３００の別々の部分がそれぞれ、ファスナテンプレート２０２とインサート２５０に平行になり、かつファスナテンプレート２０２とインサート２５０からオフセットすることになる。換言すると、インサート２５０により、嵌合キャップ３００の一部分の形状が、ファスナ１００の部分１０６以外の要素に対応することになる。例えば、インサート２５０により、嵌合キャップ３００の一部分が、上述したキャップ操作ツール５００と協働するよう、成形されることになる。ゆえに、嵌合キャップ３００は、ファスナ１００の部分１０６の上に均一な間隙３０２を形成することと、上述した別のシステム５０１及び／又は１５０１の要素と協働することの両方のために、一体的に形成される。
【０１７８】
［００２００］通常、様々な例において、インサート２５０を少なくとも部分的に先行キャップ３２０の下に位置付けること（例６５参照）と、先行キャップ３２０をファスナテンプレート２０２とインサート２５０との間に位置付けること（例６８参照）のいずれかによって、嵌合キャップ３００の別々の部分はそれぞれ、ファスナテンプレート２０２とインサート２５０に平行に、かつファスナテンプレート２０２とインサート２５０からオフセットして、形成されうる。
【０１７９】
［００２０１］図１から図３、及び図５を概括的に参照しつつ、例えば図１９Ａ、１９Ｂ、１９Ｃ、及び１９Ｄを詳細に参照するに、方法１９００により、インサート２５０を位置付けること（ブロック１９５０）は、先行キャップ３２０がファスナテンプレート２０２とテーパ部２５２との間に来るようにインサート２５０のテーパ部２５２を位置付けること（ブロック１９５４）と、テーパ部２５２のテーパの方向をファスナテンプレート２０２の中心軸２０４に平行に配向すること（ブロック１９５６）とを含む。この段落の前述の記載は本開示の例６９を特徴付けるものであり、例６９は上記の例６８による記載も含む。
【０１８０】
［００２０２］テーパ部２５２により、嵌合キャップ３００が、上述したキャップ操作ツール５００と連動するよう嵌合キャップ３００に組み込まれているテーパ界面部３１０と一体的に形成されることが、容易になる。
【０１８１】
［００２０３］図１から図３、及び図５を概括的に参照しつつ、例えば１９Ａ、１９Ｂ、１９Ｃ、及び１９Ｄを詳細に参照するに、方法１９００により、インサート２５０を位置付けること（ブロック１９５０）は、インサート２５０の穿孔部材２５４を、先行キャップ３２０から遠ざかるように延在するように、ファスナテンプレート２０２の中心軸２０４に平行に配向すること（ブロック１９５８）を更に含む。この段落の前述の記載は本開示の例７０を特徴付けるものであり、例７０は上記の例６８による記載も含む。
【０１８２】
［００２０４］穿孔部材２５４により、嵌合キャップ３００を、例えば、上述したように、キャップ操作ツール５００から密封剤を受容するために嵌合キャップ３００に組み込まれている入口開口３０６と、又は、上述したように、嵌合キャップ３００からキャップ操作ツール５００内へと密封剤５９２を排出するために嵌合キャップ３００に組み込まれている放出開口３１６と、一体式に形成することが容易になる。あるいは、入口開口３０６又は放出開口３１６は、嵌合キャップ３００を形成する初期プロセスの後に、別途付与される。
【０１８３】
［００２０５］図１、図３、及び図６を概括的に参照しつつ、例えば図１９Ａ、１９Ｂ、１９Ｃ、及び１９Ｄを詳細に参照するに、方法１９００は、フレーム２４０と第１ポリマーシート２７０とを連結すること（ブロック１９６０）と、第１ポリマーシート２７０を支持プレート２１０の第１の側２１６から所定の距離２０５のところに位置付けるよう、フレーム２４０を操作すること（ブロック１９６２）とを更に含む。この段落の前述の記載は本開示の例７１を特徴付けるものであり、例７１は上記の例５１による記載も含む。
【０１８４】
［００２０６］フレーム２４０により、特に、第１手段２１７による加熱中、及びその後の、第１ポリマーシート２７０が加熱されてプラスチックになった状態の時に、第１ポリマーシート２７０を取り扱うこと及び位置付けることが容易になる。
【０１８５】
［００２０７］図１、図３、及び図６を概括的に参照しつつ、例えば図１９Ａ、１９Ｂ、１９Ｃ、及び１９Ｄを詳細に参照するに、方法１９００により、フレーム２４０は周縁部２４８を備え、周縁部２４８は、そこを通って延在する開口部２４９を取り囲んでおり、フレーム２４０と第１ポリマーシート２７０とを連結すること（ブロック１９６０）は、第１ポリマーシート２７０が開口部２４９の端から端まで延在するように、第１ポリマーシート２７０を周縁部２４８に固定すること（ブロック１９６４）を含む。この段落の前述の記載は本開示の例７２を特徴付けるものであり、例７２は上記の例７１による記載も含む。
【０１８６】
［００２０８］フレーム２４０により、周縁部２４８がユーザの手で把持されている間に、ファスナテンプレート２０２の上に、開口部２４９の端から端まで延在する第１ポリマーシート２７０を正確に配置することが、容易になる。
【０１８７】
［００２０９］図１、図３、及び図６を概括的に参照しつつ、例えば図１９Ａ、１９Ｂ、１９Ｃ、及び１９Ｄを詳細に参照するに、方法１９００により、フレーム２４０は、第１フレーム面２４２と、第１フレーム面２４２の反対側の第２フレーム面２４４とを備え、フレーム２４０と第１ポリマーシート２７０とを連結すること（ブロック１９６０）は、第１フレーム面２４２と第２フレーム面２４４とを、間に第１ポリマーシート２７０を固定するようひとまとめに連結すること（ブロック１９６６）を含む。この段落の前述の記載は本開示の例７３を特徴付けるものであり、例７３は上記の例７１又は７２による記載も含む。
【０１８８】
［００２１０］第１フレーム面２４２と第２フレーム面２４４とがひとまとめに連結可能であることにより、第１ポリマーシート２７０とフレーム２４０との連結を簡素化することが容易になる。
【０１８９】
［００２１１］図１、図３、図７、及び図８を概括的に参照しつつ、例えば図１９Ａ、１９Ｂ、１９Ｃ、及び１９Ｄを詳細に参照するに、方法１９００は、先行キャップ３２０に先行ラベル３３０を連結すること（ブロック１９６８）を更に含む。加えて、方法１９００により、第１ポリマーシート２７０に吸引を行うこと（ブロック１９０６）は、先行ラベル３３０によって埋め込みラベル３１４が嵌合キャップ３００に刻印されるように、第１ポリマーシート２７０を真空形成すること（ブロック１９７０）を更に含む。この段落の前述の記載は本開示の例７４を特徴付けるものであり、例７４は上記の例５１による記載も含む。
【０１９０】
［００２１２］埋め込みラベル３１４を刻印するために先行ラベル３３０を使用することで、例えば、嵌合キャップ３００と併用されることが意図されているファスナ１００の種類及びサイズを識別するコードを刻印することによって、製造された時点から、嵌合キャップ３００を恒久的に識別することが容易になる。例えば、先行ラベル３３０は、嵌合キャップ３００が先行キャップ３２０に接して真空形成される際に嵌合キャップ３００に刻印を形成する、盛り上がった又は浮き出したエッジを含む。エッジの高さは、上述したように嵌合キャップ３００がキャップ操作ツール５００と一緒に回転した後でも、シュラウド厚５９４に対する影響がほとんどないほどに、低いものにされる。様々な例において、先行ラベル３３０は、埋め込みラベルが嵌合キャップ３００に刻印されることを可能にする、アルファベットの、バーコードの、又は他の任意の好適なラベル若しくはコードのうちの１つである。
【０１９１】
［００２１３］図１、図３、図７、及び図８を概括的に参照しつつ、例えば図１９Ａ、１９Ｂ、１９Ｃ、及び１９Ｄを詳細に参照するに、方法１９００は、先行キャップ３２０の色とは異なる第１ポリマーシート２７０の色を事前選択すること（ブロック１９７２）を更に含む。この段落の前述の記載は本開示の例７５を特徴付けるものであり、例７５は上記の例５１による記載も含む。
【０１９２】
［００２１４］先行キャップ３２０にある特定の色を割り当てることで、先行キャップ３２０の現場作業への混入を防止することが容易になる。先行キャップ３２０は、嵌合キャップ３００がファスナテンプレート２０２からオフセットして形成されることを容易にするようサイズ設定されるものであるので、ファスナ１００の部分１０６に成形密封シュラウド５９０を付着させるのに直接的に使用されるようにサイズ設定されるわけではない。先行キャップ３２０にある特定の色（例えば赤色）を割り当てることは、不注意から、（別の色の第１ポリマーシート２７０から形成される嵌合キャップ３００ではなく）先行キャップ３２０がファスナ１００の上に配置されることを防止するための、視覚的警告の役割を果たす。
【０１９３】
［００２１５］図１、図３、図７、及び図８を概括的に参照しつつ、例えば図１９Ａ、１９Ｂ、１９Ｃ、及び１９Ｄを詳細に参照するに、方法１９００は、第１ポリマーシート２７０の色と、ファスナ１００の種類とサイズの少なくとも一方とを関連付けること（ブロック１９７４）を更に含む。この段落の前述の記載は本開示の例７６を特徴付けるものであり、例７６は上記の例５１による記載も含む。
【０１９４】
［００２１６］第１ポリマーシート２７０の色（嵌合キャップ３００の色でもある）を、併用することが意図されているファスナ１００のサイズ及び／又は種類と関連付けることで、嵌合キャップ３００が製造された時点から、ファスナ１００（これに適するように嵌合キャップ３００がサイズ設定される）の種類及び／又はサイズを、恒久的に識別することが容易になる。嵌合キャップ３００の各サイズ及び各種類（嵌合キャップ３００を併用することが意図されているファスナ１００のサイズ及び種類に対応している）に第１ポリマーシート２７０のある特定の色を割り当てることは、成形密封シュラウド５９４を付着させるためにファスナ１００の上に正しいサイズ及び種類の嵌合キャップ３００が配置されることを確実にするための、視覚的インジケータの役割を果たす。
【０１９５】
［００２１７］図２、図１５、及び図１６を概括的に参照しつつ、例えば図２０Ａ及び図２０Ｂを詳細に参照するに、成形密封シュラウド５９０をファスナ１００の部分１０６に付着させるためのシステム２０００が開示されている。方法２０００は、壁部３０５を備える嵌合キャップ３００を、嵌合キャップ３００の壁部３０５とファスナ１００の部分１０６との間に均一な間隙３０２が形成されるように、ファスナ１００の部分１０６の上に位置付けること（ブロック２００２）を含む。嵌合キャップ３００は、均一な間隙３０２と流通可能に連結するよう構成されるように、壁部３０５を完全貫通している入口開口３０６を更に備える。嵌合キャップ３００は、均一な間隙３０２と流通可能に連結するよう構成されるように、壁部３０５を完全貫通している排出口３０９も備える。入口開口３０６と排出口３０９とは、壁部３０５に沿って互いから離間している。方法２０００は、キャップ操作ツール５００と嵌合キャップ３００とを連結すること（ブロック２００４）を更に含む。キャップ操作ツール５００は、円周方向が閉ざされた貫通チャネル５１６を備えるシャフト５１０を備え、円周方向が閉ざされた貫通チャネル５１６は、嵌合キャップ３００の入口開口３０６に流通可能に連結されるよう構成されている。加えて、方法２０００は、嵌合キャップ３００の入口開口３０６を通じてシャフト５１０の円周方向が閉ざされた貫通チャネル５１６内に、及び均一な間隙３０２内に、密封剤５９２を供給すること（ブロック２００６）を含む。排出口３０９は、円周方向が閉ざされた貫通チャネル５１６を通って均一な間隙３０２内へと密封剤５９２が流通する際に、均一な間隙３０２からガスをパージするよう配向される。方法２０００は、シャフト５１０の長手方向中心軸５１８の周りでシャフト５１０を回転させること（ブロック２００８）も含む。嵌合キャップ３００は、密封剤５９２を均一な間隙３０２内に分散させて、ファスナ１００の部分１０６の周囲に成形密封シュラウド５９０を形成するように、シャフト５１０と一緒に回転する。この段落の前述の記載は本開示の例７７を特徴付けるものである。
【０１９６】
［００２１８］キャップ操作ツール５００と嵌合キャップ３００とを、ひとまとめに連結されうる別個の構成要素として提供することで、単一のキャップ操作ツール５００が多種多様なサイズ及び形状の嵌合キャップ３００と共に使用されることが可能になる。多種多様なサイズ及び形状の嵌合キャップ３００の各々は、対応する１つのサイズ及び種類のファスナ１００と共に使用されるために設計されうることを、理解すべきである。また、嵌合キャップ３００がファスナ１００の部分１０６の上に位置付けられた状態で、嵌合キャップ３００が長手方向中心軸５１８の周りでシャフト５１０と一緒に回転可能であることで、シャフト５１０を単純に一回転させることにより、ファスナ１００の部分１０６の表面全体に、円周方向が閉ざされた貫通チャネル５１６を通じて供給される密封剤５９２を均一に広げることが、容易になる。例えば、嵌合キャップ３００がファスナ１００の部分１０６の上に位置付けられた状態での、長手方向中心軸５１８の周りでのシャフト５１０の回転は、ファスナ１００の部分１０６の周囲に沿って密封剤５９２の分散のバランスを取ること、及び／又は、部分１０６の上で嵌合キャップ３００を動的に心出しすることに、役立つ。加えて、キャップ操作ツール５００の円周方向が閉ざされた貫通チャネル５１６を通じて密封剤５９２が供給される際の、均一な間隙３０２からのガスのパージを容易にし、成形密封シュラウド５９０における気泡又はその他の不具合の形成を抑制するために、入口開口３０６と排出口３０９とが協働する。
【０１９７】
［００２１９］図２、図１５、及び図１６を概括的に参照しつつ、例えば図２０Ａ及び図２０Ｂを詳細に参照するに、方法２０００により、ファスナ１００は、ファスナ１００の部分１０６が第１部材１０２の基部表面１０３から延在するように、第１部材１０２に取り付けられる。方法２０００は、嵌合キャップ３００の第１キャップ端部３０８を、基部表面１０３に載せること（ブロック２０１０）を更に含む。この段落の前述の記載は本開示の例７８を特徴付けるものであり、例７８は上記の例７７による記載も含む。
【０１９８】
［００２２０］第１キャップ端部３０８が基部表面１０３に載るよう構成されることにより、嵌合キャップ３００が、密封剤５９２の付着中に第１部材１０２の直上に位置付けられることが可能になり、第１部材１０２に漏れ、こぼれ、又は別途故意でなく付着する密封剤５９２の量が、減少する。
【０１９９】
［００２２１］図２、図１５、及び図１６を概括的に参照しつつ、例えば図２０Ａ及び図２０Ｂを詳細に参照するに、方法２０００により、ファスナ１００の部分１０６の上に嵌合キャップ３００を位置付けること（ブロック２００２）は、均一な間隙３０２の間隙幅３１２が、ファスナ１００の部分１０６における成形済密封シュラウド５９０のシュラウド厚５９４の既定の許容誤差の範囲内になるように、嵌合キャップ３００を位置付けること（ブロック２０１２）を含む。この段落の前述の記載は本開示の例７９を特徴付けるものであり、例７９は上記の例７７又は７８による記載も含む。
【０２００】
［００２２２］嵌合キャップ３００のサイズ及び種類の選択により、ファスナ１００の部分１０６におけるシュラウド厚５９４の所定の許容誤差の範囲内の間隙幅３１２がもたらされ、ひいては、ファスナ１００の部分１０６に、正しい厚さの密封剤５９２が付けられることになる。例えば、嵌合キャップ３００は、ファスナ１００の部分１０６と寸法が同一のファスナテンプレート２０２を使用して、上記の例５１から７６のいずれか１つにしたがって、事前に形成される。
【０２０１】
［００２２３］図１５及び図１６を概括的に参照しつつ、例えば図２０Ａ及び図２０Ｂを詳細に参照するに、方法２０００により、シャフト５１０は、第１シャフト端部５１２から第２シャフト端部５１４まで、長手方向に延在する。方法２０００は、第２シャフト端部５１４と嵌合キャップ３００との間に界面ブッシュ５５０を連結すること（ブロック２０１４）を更に含む。加えて、方法２０００により、嵌合キャップ３００の入口開口３０６を通じて円周方向が閉ざされた貫通チャネル５１６内に、及び均一な間隙３０２内に、密封剤５９２を供給すること（ブロック２００６）は、円周方向が閉ざされた貫通チャネル５１６から、界面ブッシュ５５０を通って延在する通路５６２を通し、入口開口３０６を通して、均一な間隙３０２内へと、密封剤５９２を供給すること（ブロック２０１６）を更に含む。この段落の前述の記載は本開示の例８０を特徴付けるものであり、例８０は、上記の例７７から７９のいずれか１つによる記載も含む。
【０２０２】
［００２２４］界面ブッシュ５５０により、シャフト５１０と嵌合キャップ３００との連結が単純化される。様々な例において、界面ブッシュ５５０は、嵌合キャップ３００の稼働寿命を延ばすものでもある。例えば、シャフト５１０は金属材料から作製されることがあるが、金属材料は、嵌合キャップ３００を形成するのに使用される比較的薄いプラスチックを摩耗させることになる。界面ブッシュ５５０は、金属材料との連結に対してより高い耐性を有すると共に嵌合キャップ３００の摩耗を低減させることが可能な、厚型プラスチックから作成されうる。単一のサイズのシャフト５１０を複数のサイズ及び／又は種類の嵌合キャップ３００に適合させることを容易にするために、様々なサイズの界面ブッシュ５５０が提供されることも可能である。
【０２０３】
［００２２５］図１５及び図１６を概括的に参照しつつ、例えば２０Ａ及び２０Ｂを詳細に参照するに、方法２０００により、嵌合キャップ３００はテーパ界面部３１０を備える。界面ブッシュ５５０は、長手方向中心軸５１８に対して側壁テーパ角度５５８を有する、側壁５５６を備える。また、方法２０００により、シャフト５１０の第２シャフト端部５１４と嵌合キャップ３００との間に界面ブッシュ５５０を連結すること（ブロック２０１４）は、界面ブッシュ５５０の側壁５５６と嵌合キャップ３００のテーパ界面部３１０とを締まり嵌めで連結すること（ブロック２０１８）を含む。この段落の前述の記載は本開示の例８１を特徴付けるものであり、例８１は上記の例８０による記載も含む。
【０２０４】
［００２２６］界面ブッシュ５５０の側壁５５６（上述したようにテーパされている）と嵌合キャップ３００のテーパ界面部３１０との間の締まり嵌めにより、キャップ操作ツール５００と嵌合キャップ３００とを取り外し可能に連結するための、単純かつ有効な構造が提供される。例えば、嵌合キャップ３００のテーパ界面部３１０は、インサート２５０を使用して、上記の例６６又は６９にしたがって、事前に形成される。
【０２０５】
［００２２７］図１５及び図１６を概括的に参照しつつ、例えば図２０Ａ及び図２０Ｂを詳細に参照するに、方法２０００により、界面ブッシュ５５０の側壁５５６と嵌合キャップ３００のテーパ界面部３１０とを連結すること（ブロック２０１８）は、長手方向中心軸５１８に対して、嵌合キャップ３００のテーパ界面部３１０によって画定されたキャップテーパ角度３１１とは少なくとも１０度異なる側壁テーパ角度５５８を有する、側壁５５６を連結すること（ブロック２０２０）を含む。この段落の前述の記載は本開示の例８２を特徴付けるものであり、例８２は上記の例８１による記載も含む。
【０２０６】
［００２２８］界面ブッシュ５５０の側壁５５６の側壁テーパ角度５５８とキャップテーパ角度３１１とが異なっていることで、界面ブッシュ５５０と嵌合キャップ３００が使用中に外れなくなることは少なくなる。
【０２０７】
［００２２９］図１５及び図１６を概括的に参照しつつ、例えば図２０Ａ及び図２０Ｂを詳細に参照するに、方法２０００は、界面ブッシュ５５０のスカート部５６０とシャフト５１０の第２シャフト端部５１４とを締り嵌めで連結すること（ブロック２０２２）を更に含む。この段落の前述の記載は本開示の例８３を特徴付けるものであり、例８３は、上記の例８０から８２のいずれか１つによる記載も含む。
【０２０８】
［００２３０］界面ブッシュ５５０の側壁５５６の側壁テーパ角度５５８とキャップテーパ角度３１１とが異なっていることで、界面ブッシュ５５０と嵌合キャップ３００が使用中に外れなくなることは少なくなる。
【０２０９】
［００２３１］図１５及び図１６を概括的に参照しつつ、例えば２０Ａ及び２０Ｂを詳細に参照するに、方法２０００により、キャップ操作ツール５００は、シャフト５１０に連結されたハンドル５３０を更に備える。加えて、方法２０００により、シャフト５１０の長手方向中心軸５１８の周りでシャフト５１０を回転させること（ブロック２００８）は、ハンドル５３０を動かすこと（ブロック２０２４）によって実現される。この段落の前述の記載は本開示の例８４を特徴付けるものであり、例８４は上記の例７７による記載も含む。
【０２１０】
［００２３２］ハンドル５３０は、シャフト５１０を回転させて、ファスナ１００の部分１０６に密封剤５９２を均一に広げるために、ユーザによって操作されるよう構成される。
【０２１１】
［００２３３］図１５及び図１６を概括的に参照しつつ、例えば図２０Ａ及び図２０Ｂを詳細に参照するに、方法２０００により、シャフト５１０は、第１シャフト端部５１２と第２シャフト端部５１４との間に延在する。また、方法２０００により、シャフト５１０の長手方向中心軸５１８の周りでシャフト５１０を回転させること（ブロック２００８）は、第１シャフト端部５１２と第２シャフト端部５１４との間でハンドル５３０を長手方向に平行移動させること（ブロック２０２６）によって実現される。この段落の前述の記載は本開示の例８５を特徴付けるものであり、例８５は上記の例８４による記載も含む。
【０２１２】
［００２３４］ユーザは、シャフト５１０を回転させて、ファスナ１００の部分１０６に密封剤５９２を均一に広げるために、ハンドル５３０を長手方向に動かすだけでよい。
【０２１３】
［００２３５］図１５及び図１６を概括的に参照しつつ、例えば図２０Ａ及び図２０Ｂを詳細に参照するに、方法２０００により、第１シャフト端部５１２と第２シャフト端部５１４との間でハンドル５３０を長手方向に平行移動させること（ブロック２０２６）は、ハンドル５３０を、シャフト５１０が長手方向中心軸５１８の周りで反対向きの２つの回転方向にそれぞれ非同時に回転するように、第１シャフト端部５１２と第２シャフト端部５１４との間で長手方向に、逆向きの２つの軸方向に非同時に平行移動させること（ブロック２０２８）を含む。この段落の前述の記載は本開示の例８６を特徴付けるものであり、例８６は上記の例８５による記載も含む。
【０２１４】
［００２３６］ユーザは、シャフト５１０を反対向きの方向（例えば、時計回り方向と反時計回り方向）に進退回転させて、ファスナ１００の部分１０６に密封剤５９２を均一に広げるために、ハンドル５３０を長手方向に上下運動させるだけでよい。様々な例において、反対向きの２つの軸方向は、長手方向中心軸５１８に平行である。
【０２１５】
［００２３７］図１５及び図１６を概括的に参照しつつ、例えば２０Ａ及び２０Ｂを詳細に参照するに、方法２０００により、キャップ操作ツール５００は、バイアス要素５８０を更に備える。加えて、方法２０００により、第１シャフト端部５１２と第２シャフト端部５１４との間でハンドル５３０を長手方向に平行移動させること（ブロック２０２６）は、第２シャフト端部５１４に向かうハンドル５３０の長手方向平行移動に応じて、ハンドル５３０を第１シャフト端部５１２に向かう戻し方向に、バイアス要素５８０によって付勢すること（ブロック２０３０）を更に含むこの段落の前述の記載は本開示の例８７を特徴付けるものであり、例８７は上記の例８６による記載も含む。
【０２１６】
［００２３８］ユーザがハンドル５３０を長手方向に動かして、長手方向中心軸５１８の周りでシャフト５１０を一方の回転方向に回転させた後に、バイアス要素５８０は、戻し力を印加することによってユーザを支援する。この戻し力は、ハンドル５３０を反対向きの長手方向に動かして、シャフト５１０を反対向きの回転方向に回転させるのに役立つ。例えば、バイアス要素５８０はコイルバネである。
【０２１７】
［００２３９］図１５、及び図１６を概括的に参照しつつ、例えば図２０Ａ及び図２０Ｂを詳細に参照するに、方法２０００により、シャフト５１０は、シャフト５１０の外表面５２２上に配置されたらせん溝５２０を更に備える。ハンドル５３０はカム５３４を備える。加えて、方法２０００により、ハンドル５３０を動かすこと（ブロック２０２４）は、カム５３４がらせん溝５２０の中で動いて、長手方向中心軸５１８の周りでシャフト５１０を回転させるように、ハンドル５３０を長手方向に平行移動させること（ブロック２０３２）を含む。この段落の前述の記載は本開示の例８８を特徴付けるものであり、例８８は、上記の例８４から８７のいずれか１つによる記載も含む。
【０２１８】
［００２４０］カム５３４とらせん溝５２０との協働により、ハンドル５３０に行われる長手方向の上下運動が、シャフト５１０の進退回転運動に変換される。
【０２１９】
［００２４１］図１５及び図１６を概括的に参照しつつ、例えば２０Ａ及び２０Ｂを詳細に参照するに、方法２０００により、ハンドル５３０は、ハンドルキャビティ５３２を有する本体５４０を更に備える。カム５３４は、本体５４０からハンドルキャビティ５３２内に、内向きに突出している。方法２０００は、ハンドルキャビティ５３２を通るシャフト５１０を隙間嵌めで受容すること（ブロック２０３４）を更に含む。この段落の前述の記載は本開示の例８９を特徴付けるものであり、例８９は上記の例８８による記載も含む。
【０２２０】
［００２４２］ハンドル５３０の本体５４０を通るようにシャフト５１０を受容することで、カム５３４とらせん溝５２０との協働によりハンドル５３０に行われる長手方向の上下運動がシャフト５１０の進退回転運動に変換される際に、シャフト５１０が垂直配向で安定する。
【０２２１】
［００２４３］図１５及び図１６を概括的に参照しつつ、例えば２０Ａ及び２０Ｂを詳細に参照するに、方法２０００により、ハンドル５３０は、長手方向中心軸５１８に対してある一定の角度でシャフト５１０から外向きに延在する、延在部５３６を更に備える。加えて、方法２０００により、ハンドル５３０を動かすこと（ブロック２０２４）は、ユーザの手で延在部５３６を操作すること（ブロック２０３６）を含む。この段落の前述の記載は本開示の例９０を特徴付けるものであり、例９０は、上記の例８４から８７のいずれか１つによる記載も含む。
【０２２２】
［００２４４］延在部５３６により、ファスナ１００が限定スペース内に配置されている場合に、ユーザがハンドル５３０を上下に操作してシャフト５１０を回転させることが可能になる。
【０２２３】
［００２４５］図１５及び図１６を概括的に参照しつつ、例えば２０Ａ及び２０Ｂを詳細に参照するに、方法２０００により、ハンドル５３０は、本体５４０と接合部５３８とを更に備える。シャフト５１０は、本体５４０内に配置されたハンドルキャビティ５３２を通って、隙間嵌めで受容される。延在部５３６は、接合部５３８において本体５４０に連結される。加えて、方法２０００により、ユーザの手で延在部５３６を操作すること（ブロック２０３６）は、延在部５３６を、本体５４０に対して、接合部５３８の周りの複数の配向の間で動かすこと（ブロック２０３８）を含む。この段落の前述の記載は本開示の例９１を特徴付けるものであり、例９１は上記の例９０による記載も含む。
【０２２４】
［００２４６］接合部５３８が本体５４０と延在部５３６とを連結していることにより、ファスナ１００が限定スペース内に配置されている場合に、ユーザが手でハンドル５３０を上下に操作してシャフト５１０を回転させることが、更に可能になる。
【０２２５】
［００２４７］図２、図１７、及び図１８を概括的に参照しつつ、例えば図２１Ａ及び図２１Ｂを詳細に参照するに、成形密封シュラウド５９０をファスナ１００の部分１０６に付着させるためのシステム２１００が開示されている。方法２１００は、キャップ操作ツール５００と嵌合キャップ３００とを連結すること（ブロック２１０２）を含む。嵌合キャップ３００は、壁部３０５と、壁部３０５によって画定されたキャップキャビティ３０３と、壁部３０５を完全に貫通している放出開口３１６とを備える。キャップ操作ツール５００は、円周方向が閉ざされた貫通チャネル５１６を備えるシャフト５１０を備え、円周方向が閉ざされた貫通チャネル５１６は、嵌合キャップ３００の放出開口３１６に流通可能に連結されるよう構成されている。方法２１００は、密封剤５９２をキャップキャビティ３０３内に導入すること（ブロック２１０４）と、ファスナ１００の部分１０６の上に嵌合キャップ３００を位置付けること（ブロック２１０６）であって、（ｉ）部分１０６がキャップキャビティ３０３の中に受容されるように、（ｉｉ）嵌合キャップ３００の壁部３０５とファスナ１００の部分１０６との間に均一な間隙３０２が形成されるように、かつ、（ｉｉｉ）嵌合キャップ３００の放出開口３１６が均一な間隙３０２と流通可能に連結されるように、嵌合キャップ３００を位置付けること（ブロック２１０６）とを、更に含む。加えて、方法２１００は、シャフト５１０の長手方向中心軸５１８の周りでシャフト５１０を回転させること（ブロック２１０８）を含む。嵌合キャップ３００は、キャップキャビティ３０３内に既に導入されている密封剤５９２を均一な間隙３０２内に分散させて、ファスナ１００の部分１０６の周囲に成形密封シュラウド５９０を形成するように、シャフト５１０と一緒に回転する。放出開口３１６は、均一な間隙３０２からガスと余分な密封剤５９２の少なくとも一方をパージするよう配向される。この段落の前述の記載は本開示の例９２を特徴付けるものである。
【０２２６】
［００２４８］キャップ操作ツール５００と嵌合キャップ３００とを、ひとまとめに連結されうる別個の構成要素として提供することで、単一のキャップ操作ツール５００が多種多様なサイズ及び形状の嵌合キャップ３００と共に使用されることが可能になる。多種多様なサイズ及び形状の嵌合キャップ３００の各々は、対応する１つのサイズ及び種類のファスナ１００と共に使用されるために設計されうることを、理解すべきである。また、嵌合キャップ３００がファスナ１００の部分１０６の上に位置付けられた状態で、嵌合キャップ３００が長手方向中心軸５１８の周りでシャフト５１０と一緒に回転可能であることで、シャフト５１０を単純に一回転させることにより、ファスナ１００の部分１０６の表面全体に、円周方向が閉ざされた貫通チャネル５１６を通じて供給される密封剤５９２を均一に広げることが、容易になる。例えば、嵌合キャップ３００がファスナ１００の部分１０６の上に位置付けられた状態での、長手方向中心軸５１８の周りでのシャフト５１０の回転は、ファスナ１００の部分１０６の周囲に沿って密封剤５９２の分散のバランスを取ること、及び／又は、部分１０６の上で嵌合キャップ３００を動的に心出しすることに、役立つ。加えて、均一な間隙３０２からのガス及び／又は余分な密封剤のパージを容易にし、成形密封シュラウド５９０における気泡又はその他の不具合の形成を抑制するために、放出開口３１６とシャフト５１０の円周方向が閉ざされた貫通チャネル５１６とが協働する。
【０２２７】
［００２４９］方法２１００は、多くの点で上述の方法２０００に類似している。方法２１００が方法２０００とは異なっている点の１つは、方法２１００が、入口開口３０６及び排出口３０９ではなく放出開口３１６を有する嵌合キャップ３００を含む、ステップを含むことである。ファスナ１００上に嵌合キャップ３００を位置付けることによってキャップキャビティ３０３が均一な間隙３０２に圧縮される際に、放出開口３１６は、上述のように、キャップキャビティ３０３からの余分な密封剤及び／又はガスの放出を行う。余分な密封剤及び／又はガスは、放出開口３１６を通って、シャフト５１０の円周方向が閉ざされた貫通チャネル５１６内へと流通しうる。そのため、方法２１００で使用される嵌合キャップ３００は、排出口３０９を含む必要はない。様々な例において、嵌合キャップ３００から排出口３０９を省略することで、第１部材１０２に漏れ、こぼれ、又は故意でなく別途付着する密封剤５９２の量が、減少する
【０２２８】
［００２５０］図２、図１７、及び図１８を概括的に参照しつつ、例えば図２１Ａ及び図２１Ｂを詳細に参照するに、方法２１００により、ファスナ１００は、ファスナ１００の部分１０６が第１部材１０２の基部表面１０３から延在するように、第１部材１０２に取り付けられる。方法２１００は、嵌合キャップ３００の第１キャップ端部３０８を、基部表面１０３に載せること（ブロック２１１０）を更に含む。この段落の前述の記載は本開示の例９３を特徴付けるものであり、例９３は上記の例９２による記載も含む。
【０２２９】
［００２５１］第１キャップ端部３０８が基部表面１０３に載るよう構成されることにより、嵌合キャップ３００が、密封剤５９２の付着中に第１部材１０２の直上に位置付けられることが可能になり、第１部材１０２に漏れ、こぼれ、又は別途故意でなく付着する密封剤５９２の量が、減少する。
【０２３０】
［００２５２］図２、図１７、及び図１８を概括的に参照しつつ、例えば図２１Ａ及び図２１Ｂを詳細に参照するに、方法２１００により、ファスナ１００の部分１０６の上に嵌合キャップ３００を位置付けること（ブロック２１０６）は、均一な間隙３０２の間隙幅３１２が、ファスナ１００の部分１０６における成形済密封シュラウド５９０のシュラウド厚５９４の既定の許容誤差の範囲内になるように、嵌合キャップ３００を位置付けること（ブロック２１１２）を含む。この段落の前述の記載は本開示の例９４を特徴付けるものであり、例９４は上記の例９２又は９３による記載も含む。
【０２３１】
［００２５３］嵌合キャップ３００のサイズ及び種類の選択により、ファスナ１００の部分１０６におけるシュラウド厚５９４の所定の許容誤差の範囲内の間隙幅３１２がもたらされ、ひいては、ファスナ１００の部分１０６に、正しい厚さの密封剤５９２が付けられることになる。例えば、嵌合キャップ３００は、ファスナ１００の部分１０６と寸法が同一のファスナテンプレート２０２を使用して、上記の例５１から７６のいずれか１つにしたがって、事前に形成される。
【０２３２】
［００２５４］図１７及び図１８を概括的に参照しつつ、例えば図２１Ａ及び図２１Ｂを詳細に参照するに、方法２１００により、シャフト５１０は、第１シャフト端部５１２から第２シャフト端部５１４まで、長手方向に延在する。方法２１００は、第２シャフト端部５１４と嵌合キャップ３００との間に界面ブッシュ５５０を連結すること（ブロック２１１４）を更に含む。嵌合キャップ３００の放出開口３１６は、界面ブッシュ５５０を通って延在する通路５６２を通じてシャフト５１０の円周方向が閉ざされた貫通チャネル５１６内へと、均一な間隙３０２からガスと余分な密封剤５９２の少なくとも一方をパージするよう配向される。この段落の前述の記載は本開示の例９５を特徴付けるものであり、例９５は、上記の例９２から９４のいずれか１つによる記載も含む。
【０２３３】
［００２５５］界面ブッシュ５５０により、シャフト５１０と嵌合キャップ３００との連結が単純化される。様々な例において、界面ブッシュ５５０は、嵌合キャップ３００の稼働寿命を延ばすものでもある。例えば、シャフト５１０は金属材料から作製されることがあるが、金属材料は、嵌合キャップ３００を形成するのに使用される比較的薄いプラスチックを摩耗させることになる。界面ブッシュ５５０は、金属材料との連結に対してより高い耐性を有すると共に嵌合キャップ３００の摩耗を低減させることが可能な、厚型プラスチックから作成されうる。単一のサイズのシャフト５１０を複数のサイズ及び／又は種類の嵌合キャップ３００に適合させることを容易にするために、様々なサイズの界面ブッシュ５５０が提供されることも可能である。
【０２３４】
［００２５６］図１７及び図１８を概括的に参照しつつ、例えば２１Ａ及び２１Ｂを詳細に参照するに、方法２１００により、嵌合キャップ３００はテーパ界面部３１０を備える。界面ブッシュ５５０は、長手方向中心軸５１８に対して側壁テーパ角度５５８を有する、側壁５５６を備える。加えて、方法２１００により、シャフト５１０の第２シャフト端部５１４と嵌合キャップ３００との間に界面ブッシュ５５０を連結すること（ブロック２１１４）は、界面ブッシュ５５０の側壁５５６と嵌合キャップ３００のテーパ界面部３１０とを締まり嵌めで連結すること（ブロック２１１８）を含む。この段落の前述の記載は本開示の例９６を特徴付けるものであり、例９６は上記の例９５による記載も含む。
【０２３５】
［００２５７］界面ブッシュ５５０の側壁５５６（上述したようにテーパされている）と嵌合キャップ３００のテーパ界面部３１０との間の締まり嵌めにより、キャップ操作ツール５００と嵌合キャップ３００とを取り外し可能に連結するための、単純かつ有効な構造が提供される。例えば、嵌合キャップ３００のテーパ界面部３１０は、インサート２５０を使用して、上記の例６６又は６９にしたがって、事前に形成される。
【０２３６】
［００２５８］図１７及び図１８を概括的に参照しつつ、例えば図２１Ａ及び図２１Ｂを詳細に参照するに、方法２１００により、界面ブッシュ５５０の側壁５５６と嵌合キャップ３００のテーパ界面部３１０とを連結すること（ブロック２１１８）は、長手方向中心軸５１８に対して、嵌合キャップ３００のテーパ界面部３１０によって画定されたキャップテーパ角度３１１とは少なくとも１０度異なる側壁テーパ角度５５８を有する、側壁５５６を連結すること（ブロック２１２０）を含む。この段落の前述の記載は本開示の例９７を特徴付けるものであり、例９７は上記の例９６による記載も含む。
【０２３７】
［００２５９］界面ブッシュ５５０の側壁５５６の側壁テーパ角度５５８とキャップテーパ角度３１１とが異なっていることで、界面ブッシュ５５０と嵌合キャップ３００が使用中に外れなくなることは少なくなる。
【０２３８】
［００２６０］図１７及び図１８を概括的に参照しつつ、例えば図２１Ａ及び図２１Ｂを詳細に参照するに、方法２１００は、界面ブッシュ５５０のスカート部５６０とシャフト５１０の第２シャフト端部５１４とを締り嵌めで連結すること（ブロック２１２２）を更に含む。この段落の前述の記載は本開示の例９８を特徴付けるものであり、例９８は、上記の例９５から９７のいずれか１つによる記載も含む。
【０２３９】
［００２６１］界面ブッシュ５５０の側壁５５６の側壁テーパ角度５５８とキャップテーパ角度３１１とが異なっていることで、界面ブッシュ５５０と嵌合キャップ３００が使用中に外れなくなることは少なくなる。
【０２４０】
［００２６２］図１７及び図１８を概括的に参照しつつ、例えば２１Ａ及び２１Ｂを詳細に参照するに、方法２１００により、キャップ操作ツール５００は、シャフト５１０に連結されたハンドル５３０を更に備える。加えて、方法２１００により、シャフト５１０の長手方向中心軸５１８の周りでシャフト５１０を回転させること（ブロック２１０８）は、ハンドル５３０を動かすこと（ブロック２１２４）によって実現される。この段落の前述の記載は本開示の例９９を特徴付けるものであり、例９９は上記の例９２による記載も含む。
【０２４１】
［００２６３］ハンドル５３０は、シャフト５１０を回転させて、ファスナ１００の部分１０６に密封剤５９２を均一に広げるために、ユーザによって操作されるよう構成される。
【０２４２】
［００２６４］図１７及び図１８を概括的に参照しつつ、例えば図２１Ａ及び図２１Ｂを詳細に参照するに、方法２１００により、シャフト５１０は、第１シャフト端部５１２と第２シャフト端部５１４との間に延在する。加えて、方法２１００により、シャフト５１０の長手方向中心軸５１８の周りでシャフト５１０を回転させること（ブロック２１０８）は、第１シャフト端部５１２と第２シャフト端部５１４との間でハンドル５３０を長手方向に平行移動させること（ブロック２１２６）によって実現される。この段落の前述の記載は本開示の例１００を特徴付けるものであり、例１００は上記の例９９による記載も含む。
【０２４３】
［００２６５］ユーザは、シャフト５１０を回転させて、ファスナ１００の部分１０６に密封剤５９２を均一に広げるために、ハンドル５３０を長手方向に動かすだけでよい。
【０２４４】
［００２６６］図１７及び図１８を概括的に参照しつつ、例えば図２１Ａ及び図２１Ｂを詳細に参照するに、方法２１００により、第１シャフト端部５１２と第２シャフト端部５１４との間でハンドル５３０を長手方向に平行移動させること（ブロック２１２６）は、ハンドル５３０を、シャフト５１０が長手方向中心軸５１８の周りで反対向きの２つの回転方向にそれぞれ非同時に回転するように、第１シャフト端部５１２と第２シャフト端部５１４との間で長手方向に、逆向きの２つの軸方向に非同時に平行移動させること（ブロック２１２８）を含む。この段落の前述の記載は本開示の例１０１を特徴付けるものであり、例１０１は上記の例１００による記載も含む。
【０２４５】
［００２６７］ユーザは、シャフト５１０を反対向きの方向（例えば、時計回り方向と反時計回り方向）に進退回転させて、ファスナ１００の部分１０６に密封剤５９２を均一に広げるために、ハンドル５３０を長手方向に上下運動させるだけでよい。様々な例において、反対向きの２つの軸方向は、長手方向中心軸５１８に平行である。
【０２４６】
［００２６８］図１７及び図１８を概括的に参照しつつ、例えば２１Ａ及び２１Ｂを詳細に参照するに、方法２１００により、キャップ操作ツール５００は、バイアス要素５８０を更に備える。加えて、方法２１００により、第１シャフト端部５１２と第２シャフト端部５１４との間でハンドル５３０を長手方向に平行移動させること（ブロック２１２６）は、第２シャフト端部５１４に向かうハンドル５３０の長手方向平行移動に応じて、ハンドル５３０を第１シャフト端部５１２に向かう戻し方向に、バイアス要素５８０によって付勢すること（ブロック２１３０）を更に含む。この段落の前述の記載は本開示の例１０２を特徴付けるものであり、例１０２は上記の例１０１による記載も含む。
【０２４７】
［００２６９］ユーザがハンドル５３０を長手方向に動かして、長手方向中心軸５１８の周りでシャフト５１０を一方の回転方向に回転させた後に、バイアス要素５８０は、戻し力を印加することによってユーザを支援する。この戻し力は、ハンドル５３０を反対向きの長手方向に動かして、シャフト５１０を反対向きの回転方向に回転させるのに役立つ。例えば、バイアス要素５８０はコイルバネである。
【０２４８】
［００２７０］図１７及び図１８を概括的に参照しつつ、例えば図２１Ａ及び図２１Ｂを詳細に参照するに、方法２１００により、シャフト５１０は、シャフト５１０の外表面５２２上に配置された、らせん溝５２０を更に備える。ハンドル５３０はカム５３４を備える。加えて、方法２１００により、ハンドル５３０を動かすこと（ブロック２１２４）は、カム５３４がらせん溝５２０の中で動いて、長手方向中心軸５１８の周りでシャフト５１０を回転させるように、ハンドル５３０を長手方向に平行移動させること（ブロック２１３２）を含む。この段落の前述の記載は本開示の例１０３を特徴付けるものであり、例１０３は、上記の例９９から１０２のいずれか１つによる記載も含む。
【０２４９】
［００２７１］カム５３４とらせん溝５２０との協働により、ハンドル５３０に行われる長手方向の上下運動が、シャフト５１０の進退回転運動に変換される。
【０２５０】
［００２７２］図１７及び図１８を概括的に参照しつつ、例えば２１Ａ及び２１Ｂを詳細に参照するに、方法２１００により、ハンドル５３０は、ハンドルキャビティ５３２を有する本体５４０を更に備える。カム５３４は、本体５４０からハンドルキャビティ５３２内に、内向きに突出している。方法２１００は、ハンドルキャビティ５３２を通るシャフト５１０を隙間嵌めで受容すること（ブロック２１３４）を更に含む。この段落の前述の記載は本開示の例１０４を特徴付けるものであり、例１０４は上記の例１０３による記載も含む。
【０２５１】
［００２７３］ハンドル５３０の本体５４０を通るようにシャフト５１０を受容することで、カム５３４とらせん溝５２０との協働によりハンドル５３０に行われる長手方向の上下運動がシャフト５１０の進退回転運動に変換される際に、シャフト５１０が垂直配向で安定する。
【０２５２】
［００２７４］図１７及び図１８を概括的に参照しつつ、例えば２１Ａ及び２１Ｂを詳細に参照するに、方法２１００により、ハンドル５３０は、長手方向中心軸５１８に対してある一定の角度でシャフト５１０から外向きに延在する、延在部５３６を更に備える。加えて、方法２１００により、ハンドル５３０を動かすこと（ブロック２１２４）は、ユーザの手で延在部５３６を操作すること（ブロック２１３６）を含む。この段落の前述の記載は本開示の例１０５を特徴付けるものであり、例１０５は、上記の例９９から１０２のいずれか１つによる記載も含む。
【０２５３】
［００２７５］延在部５３６により、ファスナ１００が限定スペース内に配置されている場合に、ユーザがハンドル５３０を上下に操作してシャフト５１０を回転させることが可能になる。
【０２５４】
［００２７６］図１７及び図１８を概括的に参照しつつ、例えば２１Ａ及び２１Ｂを詳細に参照するに、方法２１００により、ハンドル５３０は、本体５４０と接合部５３８とを更に備える。シャフト５１０は、本体５４０内に配置されたハンドルキャビティ５３２を通って、隙間嵌めで受容される。延在部５３６は、接合部５３８において本体５４０に連結される。加えて、方法２１００により、ユーザの手で延在部５３６を操作すること（ブロック２１３６）は、延在部５３６を、本体５４０に対して、接合部５３８の周りの複数の配向の間で動かすこと（ブロック２１３８）を含む。この段落の前述の記載は本開示の例１０６を特徴付けるものであり、例１０６は上記の例１０５による記載も含む。
【０２５５】
［００２７７］本体５４０と延在部５３６とを連結している接合部５３８により、ファスナ１００が限定スペース内に配置されている場合に、ユーザが手でハンドル５３０を上下に操作してシャフト５１０を回転させることが、更に可能になる。
【０２５６】
［００２７８］本開示の例は、図２２に示している航空機の製造及び保守方法１１００、並びに、図２３に示している航空機１１０２に照らして説明されうる。製造前段階において、例示的な方法１１００は、航空機１１０２の仕様及び設計（ブロック１１０４）と材料調達（ブロック１１０６）とを含みうる。製造段階では、航空機１１０２のコンポーネント及びサブアセンブリの製造（ブロック１１０８）と、システムインテグレーション（ブロック１１１０）とが行われうる。その後、航空機１１０２は認可及び納品（ブロック１１１２）を経て運航（ブロック１１１４）に供されうる。運航期間中、航空機１１０２には、定期的な整備及び保守（ブロック１１１６）が予定されうる。定期的な整備及び保守は、航空機１１０２の一又は複数のシステムの改変、再構成、改修などを含みうる。
【０２５７】
［００２７９］例示的な方法１１００の各プロセスは、システムインテグレータ、第三者、及び／又はオペレータ（例えば顧客）によって実施又は実行されうる。この明細書の解釈上、システムインテグレータは、任意の数の航空機製造業者及び主要システム下請業者を含みうるがそれらに限定されるわけではなく、第三者は、任意の数のベンダー、下請業者、及び供給業者を含みうるがそれらに限定されるわけではなく、かつ、オペレータは、航空会社、リース会社、軍事団体、サービス機関などでありうる。
【０２５８】
［００２８０］図２３に示しているように、例示的な方法１１００によって製造される航空機１１０２は、複数の高レベルシステム１１２０及び内装１１２２を有する、機体１１１８を含みうる。高レベルシステム１１２０の例は、推進システム１１２４、電気システム１１２６、油圧システム１１２８、及び環境システム１１３０のうちの一又は複数を含む。任意の数の他のシステムも含まれうる。航空宇宙産業の例を示しているが、本書で開示されている原理は、その他の産業（自動車産業など）にも適用されうる。したがって、本本書で開示されている原理は、航空機１１０２に加えて、その他のビークル（例えば陸上ビークル、海洋ビークル、宇宙ビークル等）にも適用されうる。
【０２５９】
［００２８１］本書で図示され、説明されている装置（複数可）及び方法（複数可）は、製造及び保守方法１１００の、一又は複数の任意の段階において用いられうる。例えば、コンポーネント及びサブアセンブリの製造（ブロック１１０８）に対応するコンポーネント又はサブアセンブリは、航空機１１０２の運航（ブロック１１１４）期間中に製造されるコンポーネント又はサブアセンブリと同様の様態で、作製又は製造されうる。また、装置（複数可）、方法（複数可）又はそれらの組み合わせの一又は複数の例は、例えば、航空機１１０２の組立てを著しく効率化すること、又はコストを削減することにより、製造段階１１０８及び１１１０において利用されうる。同様に、装置又は方法を実現する一又は複数の例、或いはそれらの組み合わせは、限定するわけではないが例としては、航空機１１０２の運航（ブロック１１１４）期間中に、及び／又は、整備及び保守（ブロック１１１６）において、利用されうる。
【０２６０】
［００２８２］本書で開示されている装置（複数可）及び方法（複数可）の種々の例は、多種多様な構成要素、特徴及び機能を含む。本書で開示されている装置（複数可）及び方法（複数可）の様々な例は、それ以外の本書で開示されている装置（複数可）及び方法（複数可）の例のうち任意のものの、任意の構成要素、特徴及び機能を、任意の組み合わせにおいて含む可能性があること、及び、かかる可能性は全て本開示の範囲に含まれることが意図されていることを、理解すべきである。
【０２６１】
［００２８３］上記の説明及び関連図面に提示された教示を利用することで、本開示に関係する当業者には、本書に明記された例示の多数の修正例が想起されよう。
【０２６２】
［００２８４］したがって、本開示は例示されている特定の例に限定されないこと、及び、修正例及びその他の例は付随する特許請求の範囲に含まれることが意図されていることを、理解されたい。更に、上述の説明及び関連図面は、要素及び／又は機能のある例示的な組み合わせに照らして本開示の例を説明しているが、付随する特許請求の範囲から逸脱しなければ、代替的な実行形態によって、要素及び／又は機能の種々の組み合わせが提供されうることを、認識すべきである。したがって、付随する特許請求の範囲に記載されたカッコ内の参照番号は、例示のために提示されており、特許請求される主題の範囲を、本開示で提供されている特定の例に限定することを意図するものではない。
【図１】
2019152327.tif 000002
【図２】
2019152327.tif 000003
【図３】
2019152327.tif 000004
【図４】
2019152327.tif 000005
【図５】
2019152327.tif 000006
【図６】
2019152327.tif 000007
【図７】
2019152327.tif 000008
【図８】
2019152327.tif 000009
【図９】
2019152327.tif 000010
【図１０】
2019152327.tif 000011
【図１１】
2019152327.tif 000012
【図１２】
2019152327.tif 000013
【図１３】
2019152327.tif 000014
【図１４】
2019152327.tif 000015
【図１５】
2019152327.tif 000016
【図１６】
2019152327.tif 000017
【図１７】
2019152327.tif 000018
【図１８】
2019152327.tif 000019
【図１９Ａ】
2019152327.tif 000020
【図１９Ｂ】
2019152327.tif 000021
【図１９Ｃ】
2019152327.tif 000022
【図１９Ｄ】
2019152327.tif 000023
【図２０Ａ】
2019152327.tif 000024
【図２０Ｂ】
2019152327.tif 000025
【図２１Ａ】
2019152327.tif 000026
【図２１Ｂ】
2019152327.tif 000027
【図２２】
2019152327.tif 000028
【図２３】
2019152327.tif 000029
【外国語明細書】
2019152327000001.pdf
2019152327000002.pdf
2019152327000003.pdf
2019152327000004.pdf